(57)【要約】  本発明のお薦めコンテンツ提供装置（１００）は、複数のお薦めコンテンツの表示に関する情報を取得する取得部と、ユーザが視聴した視聴コンテンツの印象持続時間を取得する短期印象判定部（２０）と、前記視聴コンテンツの前記印象持続時間に基づいて、前記複数のお薦めコンテンツのうち、前記視聴コンテンツとコンテンツ種別が同じお薦めコンテンツの前記表示に関する情報を変更するお薦めコンテンツ決定部（４２）とを備える。
2013118198.tif 000002
【特許請求の範囲】
【請求項１】
複数のお薦めコンテンツの表示に関する情報を取得する取得部と、
ユーザが視聴した視聴コンテンツの印象持続時間を取得する短期印象判定部と、
前記視聴コンテンツの前記印象持続時間に基づいて、前記複数のお薦めコンテンツのうち、前記視聴コンテンツとコンテンツ種別が同じお薦めコンテンツの前記表示に関する情報を変更するお薦めコンテンツ決定部とを備える
お薦めコンテンツ提供装置。
【請求項２】
前記取得部は、前記表示に関する情報として、前記複数のお薦めコンテンツのお薦め度を取得し、
前記お薦めコンテンツ決定部は、前記お薦めコンテンツの前記お薦め度を変更する
請求項１に記載のお薦めコンテンツ提供装置。
【請求項３】
前記お薦めコンテンツ決定部は、さらに、変更後の前記お薦め度に基づいて、前記複数のお薦めコンテンツの表示の優先順位を決定する
請求項２に記載のお薦めコンテンツ提供装置。
【請求項４】
前記お薦めコンテンツ決定部は、さらに、変更後の前記お薦め度に基づいて、前記複数のお薦めコンテンツの表示の可否を決定する
請求項２に記載のお薦めコンテンツ提供装置。
【請求項５】
前記短期印象判定部は、前記印象持続時間に加え、前記視聴コンテンツの視聴終了時刻を取得し、
前記お薦めコンテンツ決定部は、前記視聴コンテンツのうち、前記視聴終了時刻から前記印象持続時間が経過していない前記視聴コンテンツの前記印象持続時間に基づいて、前記表示に関する情報を変更する
請求項２〜４の何れか１項に記載のお薦めコンテンツ提供装置。
【請求項６】
前記お薦めコンテンツ決定部は、前記印象持続時間が長い前記視聴コンテンツに対応するお薦めコンテンツほど、前記お薦め度の減少量が大きくなるように、前記お薦め度を変更する
請求項２〜５の何れか１項に記載のお薦めコンテンツ提供装置。
【請求項７】
前記短期印象判定部は、前記印象持続時間に加え、前記視聴コンテンツの視聴終了時刻と、前記視聴コンテンツの印象の初期強度とを取得し、
前記お薦めコンテンツ決定部は、前記視聴コンテンツのそれぞれについて、前記視聴終了時刻からの経過時間と前記印象持続時間と前記初期強度とに基づいて、現在の印象の強度を示す現在強度を算出し、前記現在強度に基づいて、前記表示に関する情報を変更する
請求項１に記載のお薦めコンテンツ提供装置。
【請求項８】
前記お薦めコンテンツ決定部は、前記初期強度に、前記印象持続時間に対する前記印象持続時間と前記経過時間との差の割合を乗算することにより、前記現在強度を求める
請求項７に記載のお薦めコンテンツ提供装置。
【請求項９】
前記取得部は、前記表示に関する情報として、前記複数のお薦めコンテンツのお薦め度を取得し、
前記お薦めコンテンツ決定部は、前記初期強度の最大値と前記現在強度との差を前記初期強度の最大値で除算した値を求めて重み係数とし、前記お薦め度に前記重み係数を乗算することにより、前記お薦め度を変更する
請求項７または８に記載のお薦めコンテンツ提供装置。
【請求項１０】
前記取得部は、前記表示に関する情報として、前記複数のお薦めコンテンツのお薦め度を取得し、
前記お薦めコンテンツ決定部は、前記現在強度が大きい前記視聴コンテンツに対応するお薦めコンテンツほど、前記お薦め度の減少量が大きくなるように、前記お薦め度を変更する
請求項７または８に記載のお薦めコンテンツ提供装置。
【請求項１１】
前記コンテンツ種別は、コンテンツジャンル、前記視聴コンテンツのメタデータに含まれるキーワード、前記視聴コンテンツに出演する人物名、前記視聴コンテンツのタイトル、および、これらの組み合わせの少なくとも何れか１つによって規定される
請求項１〜１０の何れか１項に記載のお薦めコンテンツ提供装置。
【請求項１２】
ユーザに提供するコンテンツの決定をコンピュータに実行させるためのお薦めコンテンツ提供プログラムであって、
複数のお薦めコンテンツの表示に関する情報を取得する工程と、
ユーザが視聴した視聴コンテンツの印象持続時間を取得する工程と、
前記視聴コンテンツの前記印象持続時間に基づいて、前記複数のお薦めコンテンツのうち、前記視聴コンテンツとコンテンツ種別が同じお薦めコンテンツの前記表示に関する情報を変更する工程とを含む
お薦めコンテンツ提供プログラム。
【請求項１３】
複数のお薦めコンテンツの表示に関する情報を取得する工程と、
ユーザが視聴した視聴コンテンツの印象持続時間を取得する工程と、
前記視聴コンテンツの前記印象持続時間に基づいて、前記複数のお薦めコンテンツのうち、前記視聴コンテンツとコンテンツ種別が同じお薦めコンテンツの前記表示に関する情報を変更する工程とを含む
お薦めコンテンツ提供方法。
【発明の詳細な説明】
【技術分野】
【０００１】
本発明は、コンテンツ視聴サービスにおけるお薦めコンテンツ提供装置等に関するものである。
【背景技術】
【０００２】
近年、テレビ放送等の視聴コンテンツ等をユーザに提供するコンテンツ視聴サービスが普及してきている。このようなコンテンツ視聴サービスでは、ユーザの嗜好、すなわち、物事に対するユーザの好き嫌いに応じて、ユーザに適したジャンルのコンテンツを推薦するコンテンツの推薦サービスが提供される場合がある。【０００３】
コンテンツの推薦サービスにおいて、ユーザに提供するお薦めコンテンツを決定するアルゴリズムとしては、例えば、ユーザの視聴履歴からユーザの嗜好を示す嗜好情報を推定することにより、お薦めコンテンツを決定するものがある。【０００４】
ユーザの視聴履歴を用いたコンテンツの推薦サービスについて、よりユーザに適したお薦めコンテンツを提供するための様々な方法が提案されている。【０００５】
よりユーザに適したお薦めコンテンツを提供する技術としては、例えば、ユーザの長期的な視聴履歴から推定した長期嗜好情報だけでなく短期的な視聴履歴から推定した短期嗜好情報を用いてコンテンツをお薦めする装置が開示されている（例えば、特許文献１参照）。特許文献１に記載の装置では、視聴履歴が多いほど嗜好情報の精度が高くなることから、長期的な視聴履歴から推定した長期嗜好情報を用いている。さらに、長期嗜好情報には反映されない、普段とは異なるコンテンツを視聴したい気分である等といった短期的な状況を反映するために、短期的な視聴履歴から推定した短期嗜好情報を用いている。【０００６】
また、よりユーザに適したお薦めコンテンツを提供する他の技術としては、例えば、表示（再生）時間の短いコンテンツ（ザッピング操作されたコンテンツ）を、ユーザの興味がない嗜好に関するコンテンツであるとして、お薦めコンテンツから除外する装置が開示されている（例えば、特許文献２参照）。【０００７】
すなわち、これらの特許文献１、特許文献２のいずれの発明においても、ユーザの短期的な視聴履歴から短期的な嗜好情報を推定する方法が採用されている。
【先行技術文献】
【特許文献】
【０００８】
【特許文献１】特開２００６−２１５６４３号公報
【特許文献２】特開２０１１−２１１５８６号公報
【発明の概要】
【発明が解決しようとする課題】
【０００９】
しかしながら、特許文献１、特許文献２に記載の嗜好情報の推定方法は、視聴履歴のみに基づくものであり、コンテンツの特徴等は考慮されていなかった。【００１０】
お薦めコンテンツの決定に関するコンテンツの特徴としては、例えば、一度見てから次に見たいと思うまでの期間である印象持続時間がある。例えば、映画コンテンツのように、１週間に１回程度視聴することができればよいコンテンツは、印象持続時間が比較的長いと言える。また、例えば、シリーズ構成のドラマコンテンツのように、毎日視聴してもよいコンテンツは、印象持続時間が比較的短いと言える。つまり、コンテンツは、そのジャンルやシリーズであるか否か等の特徴によって、印象持続期間が異なるものである。【００１１】
上記特許文献１および特許文献２に記載の装置では、このようなコンテンツの特徴は考慮されておらず、コンテンツの印象持続期間の差に対応していないため、お薦めコンテンツの精度が十分ではなかった。【００１２】
本発明は、コンテンツの印象持続時間に対応して、よりユーザに適したお薦めコンテンツを提供することが可能なお薦めコンテンツ提供装置等を提供することを目的とする。
【課題を解決するための手段】
【００１３】
上記の課題を解決するために、本開示の一態様に係るコンテンツ提供装置は、複数のお薦めコンテンツの表示に関する情報を取得する取得部と、ユーザが視聴した視聴コンテンツの印象持続時間を取得する短期印象判定部と、前記視聴コンテンツの前記印象持続時間に基づいて、前記複数のお薦めコンテンツのうち、前記視聴コンテンツとコンテンツ種別が同じお薦めコンテンツの前記表示に関する情報を変更するお薦めコンテンツ決定部とを備える。【００１４】
上記の課題を解決するために、本開示の一態様に係るコンテンツ提供プログラムは、ユーザに提供するコンテンツの決定をコンピュータに実行させるためのプログラムであって、複数のお薦めコンテンツの表示に関する情報を取得する工程と、ユーザが視聴した視聴コンテンツの印象持続時間を取得する工程と、前記視聴コンテンツの前記印象持続時間に基づいて、前記複数のお薦めコンテンツのうち、前記視聴コンテンツとコンテンツ種別が同じお薦めコンテンツの前記表示に関する情報を変更する工程とを含む。【００１５】
上記の課題を解決するために、本開示の一態様に係るコンテンツ提供方法は、複数のお薦めコンテンツの表示に関する情報を取得する工程と、ユーザが視聴した視聴コンテンツの印象持続時間を取得する工程と、前記視聴コンテンツの前記印象持続時間に基づいて、前記複数のお薦めコンテンツのうち、前記視聴コンテンツとコンテンツ種別が同じお薦めコンテンツの前記表示に関する情報を変更する工程とを含む。
【発明の効果】
【００１６】
本発明のコンテンツ提供装置等によれば、コンテンツの印象持続時間に対応して、よりユーザに適したお薦めコンテンツを提供することが可能になる。
【図面の簡単な説明】
【００１７】
【図１】図１は、「今見た感」の初期強度と持続時間との関係の一例を示すグラフである。
【図２】図２は、テレビに搭載されるコンテンツ提供装置の構成例を示すブロック図である。
【図３】図３は、視聴コンテンツのメタデータの一例を示す表である。
【図４】図４は、短期印象決定テーブルの一例を示す表である。
【図５】図５は、短期印象履歴テーブルの一例を示す表である。
【図６】図６は、第１のお薦めコンテンツのメタデータの一例を示す表である。
【図７】図７は、テレビの画面遷移の一例を示す図である。
【図８Ａ】図８Ａは、短期印象履歴テーブルの作成処理の処理手順を示すフローチャートである。
【図８Ｂ】図８Ｂは、お薦めコンテンツの提供処理の処理手順を示すフローチャートである。
【図９】図９は、第２のお薦めコンテンツのデータの一例を示す表である。
【発明を実施するための形態】
【００１８】
（本発明の基礎となった知見）
上述した印象持続時間について、図１を基に詳細に説明する。図１は、「今見た感」の初期強度と印象持続時間との関係をコンテンツのコンテンツ種別毎に示したグラフである。
【００１９】
なお、「今見た感」とは、視聴コンテンツの短期印象の強さであり、視聴終了直後が最も強く、時間が経過すると共に減少するものである。視聴終了時刻から「今見た感」がゼロになるまでの時間が、印象持続時間である。
【００２０】
また、ここでは、コンテンツが、テレビ放送の番組である場合を例に説明する。
【００２１】
さらに、コンテンツの種別は、映画やドラマ等の「ジャンル」、ジャンルをさらに細かく分類した「サブジャンル」、コンテンツに登場する人物の名前を示す「出演者」、コンテンツの「タイトル」、コンテンツを検索する場合等に用いる固有名詞を示す「キーワード」等の属性、あるいは、これらの組み合わせによって決まる。
【００２２】
図１において、縦軸は、「今見た感」の強さを示し、横軸は、コンテンツの視聴終了からの経過時間を示している。
【００２３】
図１のグラフ中の枠内にはコンテンツの種別が例示されている。ここで、出演者（＊＊）、タイトル（＊＊）、キーワード（＊＊）の＊＊には、固有名詞が入る。これは、固有の人名やタイトル、キーワード等により、「今見た感」の初期強度と印象持続時間とが異なるためである。
【００２４】
また、グラフ中の右下がりの矢印で示されるグラフは、矢印の始点の位置にある枠が示すコンテンツ種別についての「今見た感」の強さと経過時間との関係を示している。矢印の始点に対応する縦軸の値が、「今見た感」の初期強度を示しており、矢印の終点に対応する横軸の値が「今見た感」の印象持続時間を示している。
【００２５】
図１の例では、種別が「ジャンル（映画）＆サブジャンル（ホラー）」であるコンテンツの今見た感の初期強度が最も強く、その持続時間も最も長くなっている。「ジャンル（映画）＆サブジャンル（ホラー）」のコンテンツは、例えば、ユーザが１週間に一度程度、視聴したいと感じるコンテンツである。また、種別が「ジャンル（映画）」である一般的な映画のコンテンツの今見た感の初期強度が最も弱く、その持続時間も最も短くなっている。すなわち、「ジャンル（映画）」のコンテンツは、ユーザが数日または数時間後にはまた視聴したいと感じるコンテンツである。
【００２６】
このように、「今見た感」の初期強度および持続時間は、コンテンツのジャンルや、コンテンツのタイトル（テレビコンテンツの場合、番組タイトル）、キーワード（例えば、人名や地名等の固有名詞）等、あるいは、これらの組み合わせ（種別）によって異なっている。
【００２７】
なお、「今見た感」は、視聴履歴という、ユーザが「見た」という確実な実績に対して、コンテンツのジャンルや出演者などの特徴（種別）毎に設定することが可能な指標であるため、提供コンテンツを決定するための指標として適している。「今見た感」の初期強度と印象持続時間とを予めコンテンツの種別毎に登録しておくことにより、よりユーザに適した提供コンテンツの決定に有用な指標（パラメータ）として利用可能になる。
【００２８】
従って、以下に説明する実施の形態においては、特許文献１および特許文献２に記載の視聴履歴のみを用いた嗜好の推定方法とは異なり、視聴履歴と共に短期印象である「今見た感」を利用したお薦めコンテンツの決定を行う。
【００２９】
このような問題を解決するために、本開示の一態様に係るコンテンツ提供装置は、複数のお薦めコンテンツの表示に関する情報を取得する取得部と、ユーザが視聴した視聴コンテンツの印象持続時間を取得する短期印象判定部と、前記視聴コンテンツの前記印象持続時間に基づいて、前記複数のお薦めコンテンツのうち、前記視聴コンテンツとコンテンツ種別が同じお薦めコンテンツの前記表示に関する情報を変更するお薦めコンテンツ決定部とを備える。
【００３０】
上記構成のコンテンツ提供装置によれば、印象持続時間に応じて、提供するお薦めコンテンツを決定できる。
【００３１】
特許文献１および特許文献２に記載の装置のように、印象持続時間を考慮しない場合、印象持続時間が比較的短い種別のコンテンツは、視聴履歴が多くなる傾向にあるため、優先的に提供コンテンツとして決定され易い。これに対し、印象持続時間の比較的長い種別のコンテンツは、印象持続時間の短いコンテンツと比較して視聴履歴が少なくなる傾向にあるため、ユーザの嗜好に合うコンテンツであっても、優先順位が低くなるあるいは提供コンテンツとして決定されなくなる可能性が高くなる。
【００３２】
これに対し、上記構成のコンテンツ提供装置によれば、印象持続時間に応じて、提供するお薦めコンテンツを決定できるので、印象持続時間が長く比較的視聴履歴が少ないが、ユーザの嗜好に適したコンテンツを、ユーザに高精度で、且つ、ユーザに適したタイミングで提供可能になる。
【００３３】
さらに、上記構成のコンテンツ提供装置は、印象持続時間を用いることにより、よりユーザに適したコンテンツを提供できるので、ユーザが、提供されたコンテンツから視聴するコンテンツを決定するまでの操作量を少なくすることが可能になる。すなわち、当該操作に係るコンテンツ提供装置における電力消費量を低減する効果も期待できる。
【００３４】
また、例えば、前記取得部は、前記表示に関する情報として、前記複数のお薦めコンテンツのお薦め度を取得し、前記お薦めコンテンツ決定部は、前記お薦めコンテンツの前記お薦め度を変更するように構成してもよい。
【００３５】
また、例えば、前記お薦めコンテンツ決定部は、さらに、変更後の前記お薦め度に基づいて、前記複数のお薦めコンテンツの表示の優先順位を決定するように構成してもよい。
【００３６】
また、例えば、前記お薦めコンテンツ決定部は、さらに、変更後の前記お薦め度に基づいて、前記複数のお薦めコンテンツの表示の可否を決定するように構成してもよい。
【００３７】
また、例えば、前記短期印象判定部は、前記印象持続時間に加え、前記視聴コンテンツの視聴終了時刻を取得し、前記お薦めコンテンツ決定部は、前記視聴コンテンツのうち、前記視聴終了時刻から前記印象持続時間が経過していない前記視聴コンテンツの前記印象持続時間に基づいて、前記表示に関する情報を変更するように構成してもよい。
【００３８】
また、例えば、前記お薦めコンテンツ決定部は、前記印象持続時間が長い前記視聴コンテンツに対応するお薦めコンテンツほど、前記お薦め度の減少量が大きくなるように、前記お薦め度を変更するように構成してもよい。
【００３９】
また、例えば、前記短期印象判定部は、前記印象持続時間に加え、前記視聴コンテンツの視聴終了時刻と、前記視聴コンテンツの印象の初期強度とを取得し、前記お薦めコンテンツ決定部は、前記視聴コンテンツのそれぞれについて、前記視聴終了時刻からの経過時間と前記印象持続時間と前記初期強度とに基づいて、現在の印象の強度を示す現在強度を算出し、前記現在強度に基づいて、前記表示に関する情報を変更するように構成してもよい。
【００４０】
また、例えば、前記お薦めコンテンツ決定部は、前記初期強度に、前記印象持続時間に対する前記印象持続時間と前記経過時間との差の割合を乗算することにより、前記現在強度を求めるように構成してもよい。
【００４１】
また、例えば、前記取得部は、前記表示に関する情報として、前記複数のお薦めコンテンツのお薦め度を取得し、前記お薦めコンテンツ決定部は、前記初期強度の最大値と前記現在強度との差を前記初期強度の最大値で除算した値を求めて重み係数とし、前記お薦め度に前記重み係数を乗算することにより、前記お薦め度を変更するように構成してもよい。
【００４２】
また、例えば、前記取得部は、前記表示に関する情報として、前記複数のお薦めコンテンツのお薦め度を取得し、前記お薦めコンテンツ決定部は、前記現在強度が大きい前記視聴コンテンツに対応するお薦めコンテンツほど、前記お薦め度の減少量が大きくなるように、前記お薦め度を変更するように構成してもよい。
【００４３】
また、例えば、前記コンテンツ種別は、コンテンツジャンル、前記視聴コンテンツのメタデータに含まれるキーワード、前記視聴コンテンツに出演する人物名、前記視聴コンテンツのタイトル、および、これらの組み合わせの少なくとも何れか１つによって規定してもよい。
【００４４】
本開示の一態様に係るコンテンツ提供プログラムは、ユーザに提供するコンテンツの決定をコンピュータに実行させるためのプログラムであって、複数のお薦めコンテンツの表示に関する情報を取得する工程と、ユーザが視聴した視聴コンテンツの印象持続時間を取得する工程と、前記視聴コンテンツの前記印象持続時間に基づいて、前記複数のお薦めコンテンツのうち、前記視聴コンテンツとコンテンツ種別が同じお薦めコンテンツの前記表示に関する情報を変更する工程とを含む。
【００４５】
本開示の一態様に係るコンテンツ提供方法は、複数のお薦めコンテンツの表示に関する情報を取得する工程と、ユーザが視聴した視聴コンテンツの印象持続時間を取得する工程と、前記視聴コンテンツの前記印象持続時間に基づいて、前記複数のお薦めコンテンツのうち、前記視聴コンテンツとコンテンツ種別が同じお薦めコンテンツの前記表示に関する情報を変更する工程とを含む。
【００４６】
以下、本発明の実施の形態を、図面を用いて詳細に説明する。なお、以下で説明する実施の形態は、いずれも本発明の望ましい一具体例を示すものである。以下の実施の形態で示される構成要素、構成要素の配置位置および接続形態、処理、処理の順序などは、一例であり、本発明を限定する主旨ではない。また、以下の実施の形態における構成要素のうち、本発明の最上位概念を示す独立請求項に記載されていない構成要素については、より望ましい形態を構成する任意の構成要素として説明される。
【００４７】
（実施の形態）
本発明に係るコンテンツ提供装置の実施の形態について、図２〜図９を基に説明する。
【００４８】
本実施の形態では、お薦めコンテンツ提供装置１００は、地上デジタル放送を視聴可能なテレビに搭載されている場合を例に説明する。また、本実施の形態では、コンテンツが、地上デジタル放送における番組である場合を例に説明する。また、各コンテンツの特徴を示すコンテンツ種別は、本実施の形態では、コンテンツのジャンル、タイトル、人名、地名、キーワード、あるいは、その組み合わせで規定している。
【００４９】
（１．構成）
コンテンツ提供装置の構成について、図２を基に説明する。図２は、本実施の形態におけるお薦めコンテンツ提供装置１００の構成例を示すブロック図である。
【００５０】
お薦めコンテンツ提供装置１００は、本実施の形態では、長期的な嗜好に基づく第１のお薦めコンテンツを用い、「今見た感」の強いコンテンツの順位が相対的に下がるように、第１のお薦めコンテンツの順位を入れ替えることにより、第２のお薦めコンテンツを求めるように構成されている。お薦めコンテンツ提供装置１００は、図２に示すように、コンテンツ情報取得部１０と、短期印象判定部２０と、第１のお薦めコンテンツ情報提供部３０と、第２のお薦めコンテンツ情報提供部４０（お薦めコンテンツ決定部に相当）とを備えて構成されている。
【００５１】
コンテンツ情報取得部１０は、テレビにおける視聴コンテンツの変化を検出した場合に、視聴コンテンツの変化前の視聴コンテンツ、すなわち、視聴終了コンテンツのメタデータを取得し、短期印象判定部２０および第１のお薦めコンテンツ情報提供部３０に送信する。本実施の形態では、メタデータは、ＥＰＧ（Ｅｌｅｃｔｒｏｎｉｃ  Ｐｒｏｇｒａｍ  Ｇｕｉｄｅ）情報から取得する場合を例に説明するが、これに限るものではない。メタデータは、例えば、放送波に重畳されるデータから取得してもよいし、ネットワーク上でコンテンツに関するメタデータを提供するサーバから取得してもよい。
【００５２】
図３は、コンテンツ情報取得部１０が短期印象判定部２０および第１のお薦めコンテンツ情報提供部３０に送信した視聴終了コンテンツのメタデータの一例を示す表である。コンテンツ情報取得部１０は、図３に示す例では、１つの視聴コンテンツに対し１行（１レコード）分のデータを取得し送信する。図３に示すメタデータには、視聴したコンテンツの「放送時間」「タイトル」「出演者」「ジャンル」「サブジャンル」「番組概要」が格納されている。なお、ＥＰＧ情報等から取得したメタデータに、図３に示す情報以外の情報が含まれ、データ量が多い場合等には、必要な情報のみを抽出して送信するように構成してもよい。
【００５３】
図３より、ユーザが、１月２３日の１４：００〜１５：００の時間に、タイトルが「青春」、ジャンルが「ドラマ」であるコンテンツ（テレビ放送）を視聴したことが分かる。また、図３より、ユーザが、同日の１５：００〜１６：００の時間に、タイトルが「世界探索：イタリア特集」、ジャンルが「ドキュメンタリー」であるコンテンツを視聴したことが分かる。さらに、図３より、ユーザが、同日の１６：００〜１８：００の時間に、タイトルが「地獄の悪霊」、ジャンルが「映画」であるコンテンツを視聴したことが分かる。
【００５４】
短期印象判定部２０は、メタデータが送信された視聴コンテンツについて、コンテンツ種別毎に視聴終了時刻と「今見た感」の初期強度と印象持続時間とを含む短期印象情報を生成するように構成され、短期印象決定テーブル保持部２１と、短期印象決定部２２とを備えている。
【００５５】
短期印象決定テーブル保持部２１は、本実施の形態では、コンテンツの種別毎に「今見た感」（短期印象）の初期強度と印象持続時間とを含む短期印象決定レコードを格納した短期印象決定テーブルを保持している。
【００５６】
図４は、短期印象決定テーブル保持部２１に格納された短期印象決定テーブルの一例を示す表である。図４に示す例では、１つの短期印象決定レコードに、識別情報としての印象決定ＩＤとコンテンツ種別と「今見た感」（短期印象）の初期強度とその持続時間とが格納されている。また、図４に示す例において、コンテンツ種別には、コンテンツ種別を決定する条件が設定されており、ジャンル、サブジャンル、出演者およびタイトル等、あるいは、その組み合わせで規定されている。人名、タイトルなどの固有値を持つメタデータにおいては、固有値の情報が「今見た感」に影響する。そのため、これらの固有値を、コンテンツ種別を決定する条件としている。
【００５７】
例えば、印象決定ＩＤ１の短期印象決定レコードには、コンテンツ種別としてジャンル（映画）＆サブジャンル（ホラー）が設定され、その「今見た感」（短期印象）の初期強度は１０であり、その持続時間は４８時間である。また、印象決定ＩＤ８の短期印象決定レコードには、コンテンツ種別としてジャンル（映画）が設定され、その「今見た感」（短期印象）の初期強度は３であり、その持続時間は３時間である。
【００５８】
なお、本実施の形態では、短期印象決定テーブルは、ユーザに対するお薦めコンテンツの決定の前に、予め登録されたデータであり、「今見た感」の初期強度および持続時間は、コンテンツの特徴毎に予め設定している場合を例に説明する。なお、「今見た感」の初期強度および持続時間をユーザがカスタマイズできるように構成してもよいし、ユーザが任意に初期印象決定レコードを追加あるいは削除できるように構成してもよい。
【００５９】
短期印象決定部２２は、コンテンツ情報取得部１０が取得したメタデータと短期印象決定テーブル保持部２１に格納された短期印象決定テーブルとに基づいて、短期印象情報（短期印象履歴レコード）を生成する。
【００６０】
具体的には、短期印象決定部２２は、短期印象決定テーブルから、メタデータに格納されたコンテンツ種別と一致するコンテンツ種別の短期印象決定レコードを抽出し、抽出した短期印象決定レコードに格納された「今見た感」（短期印象）の初期強度と持続時間とを取得する。さらに、短期印象決定部２２は、メタデータに格納された「視聴終了時刻」および「コンテンツ種別」と、短期印象情報から抽出した「今見た感の初期強度」および「今見た感の印象持続時間」を、短期印象履歴レコードとして後述する短期印象保持部４１に蓄積する。
【００６１】
図５は、短期印象保持部４１に格納する複数の短期印象履歴レコードからなる短期印象履歴テーブルの一例を示す表である。図５に示す例では、１つの短期印象履歴レコードに、識別情報としての印象履歴ＩＤと視聴終了時刻とコンテンツ種別と「今見た感」（短期印象）の初期強度とその持続時間とが格納されている。
【００６２】
なお、コンテンツ種別は、一つのコンテンツに対して複数存在する場合がある。この場合には、１つのコンテンツに対し、コンテンツ種別毎に、複数の短期印象履歴レコードを格納する。例えば、図３に示す１月２３日の１５：００に視聴を終了したコンテンツの場合、図４に示す短期印象決定テーブルのうち、２つの短期印象決定レコードが対応している。具体的には、印象決定ＩＤ４のコンテンツ種別が「タイトル（青春）」の短期印象決定レコードと、印象決定ＩＤ３のコンテンツ種別が「出演者（人名１）＆ジャンル（ドラマ）」の短期印象決定レコードの２つが、１月２３日の１５：００に視聴を終了したコンテンツに対応している。
【００６３】
第１のお薦めコンテンツ情報提供部３０は、長期的な視聴履歴から推定した長期嗜好情報に基づいて、第１のお薦めコンテンツを決定するように構成されており、ユーザ情報保持部３１とお薦めコンテンツ決定部３２とを備えている。
【００６４】
ユーザ情報保持部３１は、ユーザの長期的な嗜好に関する情報（長期嗜好情報）を保持している。ユーザの長期的な嗜好に関する情報としては、例えば、ユーザが視聴したコンテンツについて長期間（例えば、１年）にわたって蓄積されたメタデータや、ユーザが操作端末等を用いて登録した嗜好に関する情報（チェックイン情報）、長期間にわたるウェブサイトの閲覧履歴やソーシャルネットワーク上での活動履歴等が考えられる。
【００６５】
お薦めコンテンツ決定部３２は、複数のお薦め可能なコンテンツに関する情報、すなわち、メタデータを取得し、ユーザ情報保持部３１に格納されたユーザの長期的な嗜好に関する情報に基づいて、取得した複数のお薦め可能なコンテンツからユーザの長期的な嗜好に合致した第１のお薦めコンテンツを決定する。お薦め可能なコンテンツとは、例えば、現在放送中のあるいは放送開始予定のコンテンツであり、ネットワーク上でコンテンツに関する情報を提供するサーバから取得する。ここでのお薦めコンテンツの決定方法は、公知のお薦めコンテンツの決定方法を用いることができる。
【００６６】
図６は、第１のお薦めコンテンツ情報提供部３０によって求められた複数の第１のお薦めコンテンツのメタデータの一例を示す表である。図６に示すメタデータは、識別情報としての長期お薦めＩＤとお薦めの程度を表す第１のお薦め度とタイトルと出演者とジャンルとサブジャンルと番組概要とを含んでいる。
【００６７】
第２のお薦めコンテンツ情報提供部４０は、第１のお薦めコンテンツ情報提供部３０により決定された第１のお薦めコンテンツと、「今見た感」を用いて最終的なお薦めコンテンツを決定するように構成されており、短期印象保持部４１と、お薦めコンテンツ決定部４２とを備えている。
【００６８】
短期印象保持部４１は、「今見た感」に関する情報、すなわち、上述した短期印象決定部２２により生成された短期印象履歴テーブルを保持している。
【００６９】
お薦めコンテンツ決定部４２は、お薦めコンテンツ決定部３２が決定したユーザの長期的な嗜好に合致したお薦めコンテンツと、短期印象保持部４１で保持している短期印象履歴テーブルを用いて、最終的なお薦めコンテンツを再決定する。
【００７０】
より具体的には、お薦めコンテンツ決定部４２は、図６に示す第１のお薦めコンテンツ情報提供部３０から取得した第１のお薦めコンテンツに対して、「今見た感」の強い第１のお薦めコンテンツのお薦め度を低く変更する。すなわち、図６に示す第１のお薦めコンテンツのそれぞれに対して、コンテンツ種別が合致する短期印象履歴レコードを抽出し、抽出した短期印象履歴レコードの初期強度とその持続時間、コンテンツの視聴終了時刻からの経過時間を考慮して、第１のお薦め度を補正して最終的な第２のお薦め度を算出する。これにより、コンテンツの特徴に応じた「今見た感」のない、新鮮感のあるコンテンツを、ユーザに適したタイミングで提供することが可能になる。
【００７１】
（２．動作）
本発明に係るお薦めコンテンツ提供装置１００による「今見た感」を反映したお薦めコンテンツの提供方法について、図７〜図９を基に説明する。
【００７２】
なお、本実施の形態において、お薦めコンテンツ提供装置１００を搭載したテレビは、テレビ画面上に視聴コンテンツのみを表示する通常視聴モードと、テレビ画面上に視聴コンテンツとお薦めコンテンツを示す画像とを同時に表示するお薦めコンテンツ表示モードとを切り替え可能に構成されている。
【００７３】
お薦めコンテンツ提供装置１００は、本実施の形態では、視聴コンテンツが変更された場合に短期印象履歴テーブルを作成し、通常視聴モードからお薦めコンテンツ表示モードに切り替えられた場合に、お薦めコンテンツの決定を行うように構成されている。
【００７４】
（２．１  テレビの画面遷移について）
先ず、テレビにおける視聴コンテンツの変更と、通常視聴モードからお薦めコンテンツ表示モードへの切り替えについて、図７を基に説明する。
【００７５】
図７は、テレビ画面の画面遷移を示す模式図である。図７の（ａ）〜（ｃ）は、通常視聴モードを示し、図７の（ｄ）は、お薦めコンテンツ表示モードを示す。本実施の形態において、通常視聴モードからお薦めコンテンツ表示モードへの切り替えは、リモコンのお薦めコンテンツ表示ボタンを押下したタイミングとする。
【００７６】
図７では、ユーザは、通常視聴モードにおいて、ドラマ「青春」、ドキュメンタリー「世界探索：イタリア特集」、ホラー「地獄の悪霊」の順に視聴し、ホラー「地獄の悪霊」を視聴中にリモコンのお薦めコンテンツ表示ボタンを押下した場合を示しており、図７の（ｃ）と（ｄ）の間で通常視聴モードからお薦めコンテンツ表示モードに切り替わっている。お薦めコンテンツ表示モードにおいては、視聴中コンテンツ、ここでは、ホラー「地獄の悪霊」がやや縮小されて表示されるとともに、画面右側にお薦めコンテンツが複数表示される。
【００７７】
なお、通常視聴モードにおける視聴コンテンツの変更には、図７に示すように、ユーザがチャンネルを切り替えた場合や視聴コンテンツの放送時間が終了した場合などが考えられる。
【００７８】
（２．２  短期印象履歴テーブルの作成方法）
次に、視聴コンテンツが変更されたときに実行する短期印象履歴テーブルの作成処理について、図８Ａを基に説明する。
【００７９】
図８Ａは、短期印象履歴テーブルの作成処理の処理手順（短期印象履歴テーブルの作成方法）を示すフローチャートであり、視聴コンテンツの変更を検知した時に実行される。
【００８０】
お薦めコンテンツ提供装置１００は、視聴コンテンツの変化が検出されると、図８Ａに示すように、コンテンツ情報取得部１０により、視聴コンテンツの変化前の視聴コンテンツ、すなわち直前の視聴終了コンテンツのメタデータを、ＥＰＧ情報から取得し、短期印象判定部２０の短期印象決定部２２に送信する（ステップＳ１０）。本実施の形態では、コンテンツ情報取得部１０が取得するメタデータは、図３に示すメタデータであり、１行（１レコード）分のデータを取得する場合を例に説明する。
【００８１】
次に、お薦めコンテンツ提供装置１００は、短期印象決定部２２により、コンテンツ情報取得部１０から受信したメタデータについて、「今見た感」の初期強度と印象持続時間とを含む短期印象情報（短期印象履歴レコード）を生成し、短期印象保持部４１に蓄積する（ステップＳ１１）。
【００８２】
より具体的には、短期印象決定部２２は、図３に示す視聴コンテンツのメタデータに、「タイトル」「出演者」「ジャンル」「サブジャンル」が格納されていることから、これらのデータを条件として、図４に示す短期印象決定テーブルのコンテンツ種別を検索し、条件に合うコンテンツ種別の短期印象決定レコードを抽出する。さらに、短期印象決定部２２は、抽出した短期印象決定レコードのそれぞれについて、視聴終了時刻を付加した短期印象履歴レコードを生成し、短期印象保持部４１に蓄積する。
【００８３】
例えば、図３に示すメタデータのうち、１行目に示すメタデータには、タイトル（青春）、出演者（人名１）、ジャンル（ドラマ）、サブジャンル（時代劇）が格納されている。短期印象決定部２２は、図４に示す短期印象決定テーブルを構成する短期印象決定レコードのコンテンツ種別を順に取得し、条件に一致するか否かを判定する。本実施の形態では、図４に示す例では、印象決定ＩＤ３の「出演者（人名１）＆ジャンル（ドラマ）」および印象決定ＩＤ４の「タイトル（青春）」の２つの短期印象決定レコードが、メタデータの条件を満たしている。短期印象決定部２２は、条件に合致する２つの短期印象決定レコードから、「今見た感」の初期強度と印象持続時間とを抽出する。さらに、短期印象決定部２２は、２つの短期印象決定レコードのそれぞれについて、視聴終了時刻（１５：００）を付加した短期印象履歴レコードを生成し、短期印象保持部４１に蓄積する。ここで生成される短期印象履歴レコードは、図５に示す短期印象履歴テーブルのうち、印象履歴ＩＤ１の「出演者（人名１）＆ジャンル（ドラマ）」の短期印象履歴レコードと、印象履歴ＩＤ２の「タイトル（青春）」の短期印象履歴レコードである。
【００８４】
また、例えば、図３に示すメタデータのうち、２行目に示すメタデータには、タイトル（世界探索：イタリア特集）、出演者（人名３）、ジャンル（ドキュメンタリー）、サブジャンル（歴史・紀行）が格納され、番組概要に、キーワードとして（イタリア）が格納されている。短期印象決定部２２は、図４に示す短期印象決定テーブルから、コンテンツ種別の条件に合致する短期印象決定レコードとして、印象決定ＩＤ６の「タイトル（世界探索：イタリア特集）」の短期印象決定レコードと、印象決定ＩＤ７の「キーワード（イタリア）」の短期印象決定レコードの２つを抽出し、視聴終了時刻（１６：００）を付加した短期印象履歴レコードを生成し、短期印象保持部４１に蓄積する。ここで生成される短期印象履歴レコードは、図５に示す短期印象履歴テーブルのうち、印象履歴ＩＤ３および印象履歴ＩＤ４の２つの短期印象履歴レコードである。
【００８５】
また、例えば、図３に示すメタデータのうち、３行目に示すメタデータには、タイトル（地獄の悪霊）、出演者（人名３）、ジャンル（映画）、サブジャンル（ホラー）が格納されている。短期印象決定部２２は、図４に示す短期印象決定テーブルから、コンテンツ種別の条件に合致する短期印象決定レコードとして、印象決定ＩＤ１の「ジャンル（映画）＆サブジャンル（ホラー）」、印象決定ＩＤ２の「出演者（人名３）＆ジャンル（映画）」、印象決定ＩＤ８の「ジャンル（映画）」、印象決定ＩＤ５の「タイトル（地獄の悪霊）」の４つの短期印象決定レコードを抽出し、視聴終了時刻（１８：００）を付加した短期印象履歴レコードを生成し、短期印象保持部４１に蓄積する。ここで生成される短期印象履歴レコードは、図５に示す短期印象履歴テーブルの印象決定ＩＤ５〜印象決定ＩＤ８の４つの短期印象履歴レコードである。
【００８６】
（２．３  お薦めコンテンツの提供方法）
次に、お薦めコンテンツの提供方法について、図８Ｂを基に説明する。
【００８７】
図８Ｂは、お薦めコンテンツの提供処理の処理手順（お薦めコンテンツの提供方法）を示すフローチャートであり、ユーザがテレビのリモコンのお薦めコンテンツ表示ボタンを押下したときに実行される。
【００８８】
お薦めコンテンツ表示ボタンが押下されると、先ず、コンテンツ情報取得部１０は、視聴中の視聴コンテンツのメタデータを取得し、短期印象決定部２２を介して第２のお薦めコンテンツ情報提供部４０に送信する（ステップＳ２０）。
【００８９】
次に、短期印象決定部２２は、コンテンツ情報取得部１０から受信した視聴中の視聴コンテンツのメタデータについて、「今見た感」の初期強度と印象持続時間とを含む短期印象情報を生成し、短期印象保持部４１に蓄積する（ステップＳ２１）。なお、当該ステップＳ２１の処理手順は、視聴終了時刻の付加を除き、ステップＳ１１の処理手順と同じである。ステップＳ１１では、蓄積される短期印象情報に視聴終了時刻が付加されるが、当該ステップにおいては、コンテンツの視聴中であり視聴終了時刻が定まっていない。従って、現在時刻を仮の視聴終了時刻として格納する。このとき、視聴終了時刻を仮設定した短期印象情報の印象履歴ＩＤを保持しておき、視聴コンテンツの変更が生じたときに、当該印象履歴ＩＤの視聴終了時刻を再設定する。つまり、視聴コンテンツの視聴中に既に図８Ａに示す短期印象履歴テーブルの作成処理を実行しているため、再度短期印象履歴テーブルの作成処理を実行することなく、視聴終了時刻の再設定のみ行う。
【００９０】
第２のお薦めコンテンツ情報提供部４０は、第１のお薦めコンテンツ情報提供部３０から第１のお薦めコンテンツを取得する（ステップＳ２２）。第１のお薦めコンテンツ情報提供部３０は、本実施の形態では、お薦めコンテンツ表示ボタンが押下されたときに、お薦めコンテンツ決定部３２により、ユーザ情報保持部３１に格納されたユーザの長期的な嗜好情報に基づいて、お薦め可能なコンテンツの中からユーザの長期的な嗜好に合致した第１のお薦めコンテンツを決定する。
【００９１】
次に、第２のお薦めコンテンツ情報提供部４０は、第１のお薦めコンテンツ情報提供部３０から出力されたユーザの長期的な嗜好に合致した第１のお薦めコンテンツのそれぞれについて、短期印象保持部４１に保持された短期印象履歴テーブルから、コンテンツ種別の合致する短期印象履歴レコードを抽出する（ステップＳ２３）。ここで、同じコンテンツ種別の短期印象履歴レコードがある場合は、最新の短期印象履歴レコードを抽出する。すなわち、１つのコンテンツ種別については１つの短期印象履歴レコードを抽出する。
【００９２】
例えば、図６に示す第１のお薦めコンテンツのメタデータにおいて、長期お薦めＩＤ１のコンテンツの場合、第１のお薦め度（２００）、タイトル（晩春）、出演者（人名１）、ジャンル（ドラマ）、サブジャンル（時代劇）が格納されている。これらのデータを条件として図５に示す短期印象履歴テーブルを検索した場合、印象履歴ＩＤ１の「出演者（人名１）＆ジャンル（ドラマ）」の短期印象履歴レコードが抽出される。同様にして、長期お薦めＩＤ３のコンテンツの場合、第１のお薦め度（１８０）、タイトル「ゾンビ」、出演者（人名５）、ジャンル（映画）、サブジャンル（ホラー）が格納されている。これらのデータを条件として図５に示す短期印象履歴テーブルを検索した場合、図５に示す印象履歴ＩＤ６の「ジャンル（映画）＆サブジャンル（ホラー）」の短期印象履歴レコードと、印象履歴ＩＤ７の「ジャンル（映画）」の短期印象履歴レコードとが抽出される。さらに、長期お薦めＩＤ４のコンテンツの場合、第１のお薦め度（１５０）、タイトル（青春）出演者（人名６）、ジャンル（ドラマ）、サブジャンル（時代劇）が格納されている。これらのデータを条件として図５に示す短期印象履歴テーブルを検索した場合、図５に示す印象履歴ＩＤ２の「タイトル（青春）」の短期印象履歴レコードが抽出される。また、長期お薦めＩＤ５のコンテンツの場合、第１のお薦め度（１１３）、タイトル「世界のクイズ」、出演者（人名７）、ジャンル（バラエティ）、サブジャンル（クイズ）、番組概要にキーワード（イタリア）が格納されている。これらのデータを条件として図５に示す短期印象履歴テーブルを検索した場合、図５に示す印象履歴ＩＤ３の「キーワード（イタリア）」の短期印象履歴レコードが抽出される。
【００９３】
次に、第２のお薦めコンテンツ情報提供部４０は、図８Ｂに示すように、ステップＳ２３で抽出した短期印象履歴レコードのそれぞれについて、「今見た感」の現在における短期印象の強度（現在強度）の計算を行う（ステップＳ２４）。本実施の形態における「今見た感」の現在強度は、以下の式１で求められる。
【００９４】
現在強度＝初期強度×（印象持続時間−（現在時刻−視聴終了時刻））／印象持続時間    ・・・（１）
【００９５】
ただし、視聴終了時刻からの経過時間が印象持続時間より長い場合、すなわち、（「今見た感」の印象持続時間−（現在時刻−視聴終了時刻））＜０の場合は、現在強度＝０とする。
【００９６】
例えば、現在時刻が１８：００である場合に、図５に示す印象履歴ＩＤ１の短期印象履歴レコードの「今見た感」の現在強度は、「今見た感」の初期強度が７、「今見た感」の印象持続時間は２４時間、視聴終了時刻は１５：００であるため、７×（２４−（１８−１５））／２４＝６．１２５となる。同様にして、印象履歴ＩＤ２の短期印象履歴レコードの「今見た感」の現在強度は、５×（１２−（１８−１５））／１２＝３．７５となる。印象履歴ＩＤ３の短期印象履歴レコードの「今見た感」の現在強度は、３×（８−（１８−１６））／８＝２．２５となる。印象履歴ＩＤ６の短期印象履歴レコードの「今見た感」の現在強度は、１０×（４８−（１８−１８））／４８＝１０となる。印象履歴ＩＤ７の短期印象履歴レコードの「今見た感」の現在強度は、３×（４−（１８−１８））／４＝３となる。
【００９７】
次に、第２のお薦めコンテンツ情報提供部４０は、図８Ｂに示すように、「今見た感」の現在強度と第１のお薦め度から「今見た感」を反映した第２のお薦め度の計算を行う（ステップＳ２５）。本実施の形態における第２のお薦め度（「今見た感」反映後）は、以下の式２で求められる。
【００９８】
第２のお薦め度＝第１のお薦め度×Π重み係数    ・・・（２）
【００９９】
なお、第１のお薦めコンテンツに対し、複数の短期印象履歴レコードが抽出された場合は、複数の短期印象履歴レコードのそれぞれについて重み係数を算出し、算出した全ての重み係数と第１のお薦め度とを積算して、第２のお薦め度を求める。なお、重み係数は、現在時刻に依存する係数であり、以下の式３で求められる。
【０１００】
重み係数＝（「今見た感」の最大強度−「今見た感」の現在強度）／「今見た感」の最大強度    ・・・（３）
【０１０１】
ここで、「今見た感」の最大強度は、図４に示す短期印象決定テーブルに格納された「今見た感」の初期強度の最大値、図４の例では１０とする。
【０１０２】
例えば、図５に示す印象履歴ＩＤ１のコンテンツ種別が「出演者（人名１）＆ジャンル（ドラマ）」の短期印象履歴レコードの場合、重み係数は、（１０−６．１２５）／１０＝０．３８７５となる。同様にして、図５に示す印象履歴ＩＤ２の重み係数は、（１０−３．７５）／１０＝０．６２５、印象履歴ＩＤ３の重み係数は、（１０−２．２５）／１０＝０．７７５、印象履歴ＩＤ６の重み係数は、（１０−１０）／１０＝０、印象履歴ＩＤ７の重み係数は、（１０−３）／１０＝０．７となる。
【０１０３】
従って、図６に示す長期お薦めＩＤ１のタイトル「晩春」というコンテンツの第２のお薦め度は、第１のお薦め度２００×重み係数０．３８７５＝７７．５となる。同様にして、長期お薦めＩＤ４のコンテンツの第２のお薦め度は、１５０×０．６２５＝９３．７５となり、長期お薦めＩＤ５のコンテンツの第２のお薦め度は、１１３×０．７７５＝８７．５７５となる。なお、長期お薦めＩＤ３のコンテンツの場合、抽出された短期印象履歴レコードが２つであるため、重み係数も２つとなる。よって、長期お薦めＩＤ３のコンテンツの第２のお薦め度は、１８０×（０×０．７）＝０となる。
【０１０４】
ただし、ステップＳ２３で短期印象履歴レコードが抽出されなかった第１のお薦めコンテンツについては、第２お薦め度＝第１お薦め度とする。
【０１０５】
次に、第２のお薦めコンテンツ情報提供部４０は、図８Ｂに示すように、「今見た感」を反映した第２のお薦め度の値で、第１のお薦めコンテンツ情報提供部３０から取得した第１のお薦めコンテンツのソートを行い、ソート結果を出力する（ステップＳ２６）。
【０１０６】
図９は、第１のお薦めコンテンツのソート結果の一例を示す表であり、１つのレコードに、第２のお薦めコンテンツ情報提供部４０で再決定された第２のお薦め度と、第１のお薦めコンテンツ情報提供部３０で設定された長期お薦めＩＤ、タイトル、出演者、ジャンル、サブジャンルおよび番組概要が格納されている。
【０１０７】
図９に示す第２のお薦めコンテンツの第２のお薦め度の一部は、図６に示す第１のお薦めコンテンツの第１のお薦め度と異なっている。すなわち、長期お薦めＩＤ１のコンテンツは、図６に示すように、第１のお薦め度は２００であるが、図９に示すように、「今見た感」の反映後の第２のお薦め度は７７．５となっている。また、長期お薦めＩＤ３のコンテンツは、図６に示すように、第１のお薦め度は１８０であるが、図９に示すように、第２のお薦め度は０となっている。さらに、長期お薦めＩＤ４のコンテンツは、図６に示すように、第１のお薦め度は１５０であるが、図９に示すように、第２のお薦め度は９３．８となっている。さらに、長期お薦めＩＤ５のコンテンツは、図６に示すように、第１お薦め度は１１３であるが、図９に示すように、第２のお薦め度は８７．６となっている。
【０１０８】
本実施の形態では、第２のお薦めコンテンツ情報提供部４０は、第２のお薦め度が０となった第１のお薦めコンテンツ以外のコンテンツを第２のお薦めコンテンツとし、第２のお薦め度の高い順に第２のお薦めコンテンツのメタデータを出力する。なお、第２のお薦めコンテンツを示すメタデータと第２のお薦め度とを出力するように構成してもよいし、全ての第１のお薦めコンテンツを第２のお薦めコンテンツとし、全ての第１のお薦めコンテンツのメタデータを第２のお薦め度と関連付けて出力するように構成してもよい。
【０１０９】
次に、お薦めコンテンツ提供装置１００は、テレビ画面上に、「今見た感」を反映した第２のお薦めコンテンツを表示する（ステップＳ２７）。本実施の形態では、図７（ｄ）に示すように、視聴中のコンテンツがやや縮小されて画面左上側に表示されるとともに、画面右側にお薦めコンテンツが複数表示される。図７（ｄ）では、お薦めコンテンツの表示領域は３つであり、第２のお薦め度が高い順に３つの第２のお薦めコンテンツを示す画像が表示される。図９に示すソート結果の場合、長期お薦めＩＤ２、４、６のコンテンツを示す画像が表示される。
【０１１０】
以上のように、本発明に係るコンテンツ提供装置によれば、コンテンツの特徴に応じた「今見た感」の初期強度やその持続時間を用いることで、ユーザの短期的な嗜好情報を推定する必要なく、ユーザの視聴履歴から、ユーザにとって「今見た感」のない新鮮感のあるコンテンツの推薦を行うことが可能になる。
【０１１１】
（別実施の形態）
（１）上記実施の形態では、お薦めコンテンツを表示するお薦めコンテンツ表示モードに切り替わるタイミングを、リモコンのお薦めコンテンツ表示ボタンを押下した時として説明したが、これに限るものではない。例えば、ユーザによるザッピングの検出時や、テレビに接続されたレコーダーやセットトップボックスのメニュー表示時、コンテンツ検索のための文字入力時などの他のタイミングでお薦めコンテンツを表示するようにしてもよいし、上述したタイミングのうちの複数のタイミングでお薦めコンテンツを表示するように構成してもよい。
【０１１２】
（２）上記実施の形態では、第２のお薦めコンテンツは、第１のお薦めコンテンツを第２のお薦め度の大小によってソートして順位付けを行うことにより決定したが、これに限るものではない。例えば、第２のお薦めコンテンツは、第１のお薦めコンテンツを第１のお薦め度に基づいてソートした後、対応する短期印象履歴情報がある第１のお薦めコンテンツについて、「今見た感」の現在強度の値に基づいて、お薦め順位を下げて順位付けすることにより決定してもよい。また、例えば、第２のお薦めコンテンツは、第１のお薦めコンテンツのうち、対応する短期印象履歴情報がある第１のお薦めコンテンツは削除したりする等、他の方法を用いてもよい。
【０１１３】
（３）なお、上記実施の形態では、お薦めコンテンツ提供装置１００をテレビ内に搭載する場合を例に説明したが、コンテンツ情報取得部１０、短期印象判定部２０、第１のお薦めコンテンツ情報提供部３０および第２のお薦めコンテンツ情報提供部４０は、これらの一部または全部を、セットトップボックスやサーバなどに設けてもよい。この場合には、お薦めコンテンツ提供装置１００が、ユーザの視聴コンテンツを識別可能に構成すればよい。
【０１１４】
（４）上記実施の形態では、図１に示すように、「今見た感」の強度は、視聴終了後、一定の割合で低下する場合を例に説明したが、これに限るものではない。例えば、視聴終了後から一定期間は初期強度を維持する、あるいは、時間の経過とともに低下率が大きくなるように設定されていてもよい。また、「今見た感」の強度と経過時間の関係は、コンテンツ種別毎に、異なっていてもよい。なお、本実施の形態では、「今見た感」の強度と経過時間の関係が図１に示す関係を有する場合を想定していることから、短期印象決定テーブル保持部２１が、図４に示す短期印象決定テーブルを備える場合を例に説明したが、「今見た感」の強度と経過時間の関係が異なる場合は、任意の現在時刻において、「今見た感」の現在強度が特定できる情報を格納するように構成する。
【０１１５】
（５）上記実施の形態では、お薦めコンテンツ提供装置１００が、第１のお薦めコンテンツ情報提供部３０を備えて構成されていたが、第１のお薦めコンテンツ情報提供部３０は、本発明の必須構成ではない。第１のお薦めコンテンツ情報提供部３０は、お薦めコンテンツ提供装置１００の外部、例えば、ネットワーク上に設けられたサーバ等に構築されていてもよい。この場合には、お薦めコンテンツ提供装置１００が、第１のお薦めコンテンツ情報提供部３０からネットワーク等を介して、第１のお薦めコンテンツのメタデータとお薦め度を取得可能に構成する。
【０１１６】
（６）上記実施の形態では、短期印象決定部２２を、ステップＳ１１において、視聴コンテンツのメタデータに基づいて抽出した短期印象決定レコードの全てについて、短期印象履歴レコードを作成するように構成し、第２のお薦めコンテンツ情報提供部４０は、ステップＳ２３において、同じコンテンツ種別の短期印象履歴レコードがある場合は、最新の短期印象履歴レコードを抽出するように構成したが、これに限るものではない。
【０１１７】
例えば、短期印象決定部２２は、視聴コンテンツのメタデータに基づいて抽出した短期印象決定レコードのうち、コンテンツ種別が一致する短期印象履歴レコードがない場合は、新たに短期印象履歴レコードを作成し、コンテンツ種別が一致する短期印象履歴レコードがある場合は、視聴終了時刻を上書きするように構成してもよい。
【０１１８】
同じコンテンツの情報が、重複して第２のお薦め度に反映されないように構成すればよい。
【０１１９】
（７）なお、上記実施の形態において、ブロック図（図２）の各機能ブロックは典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１２０】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【０１２１】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１２２】
また、上記実施の形態において、各構成要素は専用のハードウェアにより構成されてもよく、あるいは、ソフトウェアにより実現可能な構成要素については、プログラムを実行することによって実現されてもよい。
【０１２３】
以上、図面を参照して本発明の実施の形態を説明したが、本発明は、これらに限定されるものではない。上述した実施の形態に対して、本発明と同一の範囲において、あるいは均等の範囲内において、様々な変形や追加、変更が可能である。
【産業上の利用可能性】
【０１２４】
本発明によれば、市場に大量に存在する視聴コンテンツからユーザにとって「今見た感」のない新鮮なコンテンツの推薦を行うことができるため、効率的なコンテンツの発見を行うことができ有用である。また、お薦めコンテンツを提供する側にとっても大量に保有しているコンテンツのユーザによる視聴機会を増加させる方法として有用である。
【符号の説明】
【０１２５】
１０    コンテンツ情報取得部
２０    短期印象判定部
２１    短期印象決定テーブル保持部
２２    短期印象決定部
３０    第１のお薦めコンテンツ情報提供部
３１    ユーザ情報保持部
３２    お薦めコンテンツ決定部
４０    第２のお薦めコンテンツ情報提供部
４１    短期印象保持部
４２    お薦めコンテンツ決定部
１００  お薦めコンテンツ提供装置
【図１】
2013118198.tif 000003
【図２】
2013118198.tif 000004
【図３】
2013118198.tif 000005
【図４】
2013118198.tif 000006
【図５】
2013118198.tif 000007
【図６】
2013118198.tif 000008
【図７】
2013118198.tif 000009
【図８Ａ】
2013118198.tif 000010
【図８Ｂ】
2013118198.tif 000011
【図９】
2013118198.tif 000012
【手続補正書】
【提出日】平成25年2月13日(2013.2.13)
【手続補正１】
【補正対象書類名】明細書
【補正対象項目名】全文
【補正方法】変更
【補正の内容】
【発明の詳細な説明】
【技術分野】
【０００１】
本発明は、コンテンツ視聴サービスにおけるお薦めコンテンツ提供装置等に関するものである。
【背景技術】
【０００２】
近年、テレビ放送等の視聴コンテンツ等をユーザに提供するコンテンツ視聴サービスが普及してきている。このようなコンテンツ視聴サービスでは、ユーザの嗜好、すなわち、物事に対するユーザの好き嫌いに応じて、ユーザに適したジャンルのコンテンツを推薦するコンテンツの推薦サービスが提供される場合がある。
【０００３】
コンテンツの推薦サービスにおいて、ユーザに提供するお薦めコンテンツを決定するアルゴリズムとしては、例えば、ユーザの視聴履歴からユーザの嗜好を示す嗜好情報を推定することにより、お薦めコンテンツを決定するものがある。
【０００４】
ユーザの視聴履歴を用いたコンテンツの推薦サービスについて、よりユーザに適したお薦めコンテンツを提供するための様々な方法が提案されている。
【０００５】
よりユーザに適したお薦めコンテンツを提供する技術としては、例えば、ユーザの長期的な視聴履歴から推定した長期嗜好情報だけでなく短期的な視聴履歴から推定した短期嗜好情報を用いてコンテンツをお薦めする装置が開示されている（例えば、特許文献１参照）。特許文献１に記載の装置では、視聴履歴が多いほど嗜好情報の精度が高くなることから、長期的な視聴履歴から推定した長期嗜好情報を用いている。さらに、長期嗜好情報には反映されない、普段とは異なるコンテンツを視聴したい気分である等といった短期的な状況を反映するために、短期的な視聴履歴から推定した短期嗜好情報を用いている。
【０００６】
また、よりユーザに適したお薦めコンテンツを提供する他の技術としては、例えば、表示（再生）時間の短いコンテンツ（ザッピング操作されたコンテンツ）を、ユーザの興味がない嗜好に関するコンテンツであるとして、お薦めコンテンツから除外する装置が開示されている（例えば、特許文献２参照）。
【０００７】
すなわち、これらの特許文献１、特許文献２のいずれの発明においても、ユーザの短期的な視聴履歴から短期的な嗜好情報を推定する方法が採用されている。
【先行技術文献】
【特許文献】
【０００８】
【特許文献１】特開２００６−２１５６４３号公報
【特許文献２】特開２０１１−２１１５８６号公報
【発明の概要】
【発明が解決しようとする課題】
【０００９】
しかしながら、特許文献１、特許文献２に記載の嗜好情報の推定方法は、視聴履歴のみに基づくものであり、コンテンツの特徴等は考慮されていなかった。
【００１０】
お薦めコンテンツの決定に関するコンテンツの特徴としては、例えば、一度見てから次に見たいと思うまでの期間である印象持続時間がある。例えば、映画コンテンツのように、１週間に１回程度視聴することができればよいコンテンツは、印象持続時間が比較的長いと言える。また、例えば、シリーズ構成のドラマコンテンツのように、毎日視聴してもよいコンテンツは、印象持続時間が比較的短いと言える。つまり、コンテンツは、そのジャンルやシリーズであるか否か等の特徴によって、印象持続期間が異なるものである。
【００１１】
上記特許文献１および特許文献２に記載の装置では、このようなコンテンツの特徴は考慮されておらず、コンテンツの印象持続期間の差に対応していないため、お薦めコンテンツの精度が十分ではなかった。
【００１２】
本発明は、コンテンツの印象持続時間に対応して、よりユーザに適したお薦めコンテンツを提供することが可能なお薦めコンテンツ提供装置等を提供することを目的とする。
【課題を解決するための手段】
【００１３】
上記の課題を解決するために、本開示の一態様に係るコンテンツ提供装置は、複数のお薦めコンテンツの表示に関する情報を取得する取得部と、ユーザが視聴した視聴コンテンツの印象持続時間を取得する短期印象判定部と、前記視聴コンテンツの前記印象持続時間に基づいて、前記複数のお薦めコンテンツのうち、前記視聴コンテンツとコンテンツ種別が同じお薦めコンテンツの前記表示に関する情報を変更するお薦めコンテンツ決定部とを備える。
【００１４】
上記の課題を解決するために、本開示の一態様に係るコンテンツ提供プログラムは、ユーザに提供するコンテンツの決定をコンピュータに実行させるためのプログラムであって、複数のお薦めコンテンツの表示に関する情報を取得する工程と、ユーザが視聴した視聴コンテンツの印象持続時間を取得する工程と、前記視聴コンテンツの前記印象持続時間に基づいて、前記複数のお薦めコンテンツのうち、前記視聴コンテンツとコンテンツ種別が同じお薦めコンテンツの前記表示に関する情報を変更する工程とを含む。
【００１５】
上記の課題を解決するために、本開示の一態様に係るコンテンツ提供方法は、複数のお薦めコンテンツの表示に関する情報を取得する工程と、ユーザが視聴した視聴コンテンツの印象持続時間を取得する工程と、前記視聴コンテンツの前記印象持続時間に基づいて、前記複数のお薦めコンテンツのうち、前記視聴コンテンツとコンテンツ種別が同じお薦めコンテンツの前記表示に関する情報を変更する工程とを含む。
【発明の効果】
【００１６】
本発明のコンテンツ提供装置等によれば、コンテンツの印象持続時間に対応して、よりユーザに適したお薦めコンテンツを提供することが可能になる。
【図面の簡単な説明】
【００１７】
【図１】図１は、「今見た感」の初期強度と持続時間との関係の一例を示すグラフである。
【図２】図２は、テレビに搭載されるコンテンツ提供装置の構成例を示すブロック図である。
【図３】図３は、視聴コンテンツのメタデータの一例を示す表である。
【図４】図４は、短期印象決定テーブルの一例を示す表である。
【図５】図５は、短期印象履歴テーブルの一例を示す表である。
【図６】図６は、第１のお薦めコンテンツのメタデータの一例を示す表である。
【図７】図７は、テレビの画面遷移の一例を示す図である。
【図８Ａ】図８Ａは、短期印象履歴テーブルの作成処理の処理手順を示すフローチャートである。
【図８Ｂ】図８Ｂは、お薦めコンテンツの提供処理の処理手順を示すフローチャートである。
【図９】図９は、第２のお薦めコンテンツのデータの一例を示す表である。
【発明を実施するための形態】
【００１８】
（本発明の基礎となった知見）
上述した印象持続時間について、図１を基に詳細に説明する。図１は、「今見た感」の初期強度と印象持続時間との関係をコンテンツのコンテンツ種別毎に示したグラフである。
【００１９】
なお、「今見た感」とは、視聴コンテンツの短期印象の強さであり、視聴終了直後が最も強く、時間が経過すると共に減少するものである。視聴終了時刻から「今見た感」がゼロになるまでの時間が、印象持続時間である。
【００２０】
また、ここでは、コンテンツが、テレビ放送の番組である場合を例に説明する。
【００２１】
さらに、コンテンツの種別は、映画やドラマ等の「ジャンル」、ジャンルをさらに細かく分類した「サブジャンル」、コンテンツに登場する人物の名前を示す「出演者」、コンテンツの「タイトル」、コンテンツを検索する場合等に用いる固有名詞を示す「キーワード」等の属性、あるいは、これらの組み合わせによって決まる。
【００２２】
図１において、縦軸は、「今見た感」の強さを示し、横軸は、コンテンツの視聴終了からの経過時間を示している。
【００２３】
図１のグラフ中の枠内にはコンテンツの種別が例示されている。ここで、出演者（＊＊）、タイトル（＊＊）、キーワード（＊＊）の＊＊には、固有名詞が入る。これは、固有の人名やタイトル、キーワード等により、「今見た感」の初期強度と印象持続時間とが異なるためである。
【００２４】
また、グラフ中の右下がりの矢印で示されるグラフは、矢印の始点の位置にある枠が示すコンテンツ種別についての「今見た感」の強さと経過時間との関係を示している。矢印の始点に対応する縦軸の値が、「今見た感」の初期強度を示しており、矢印の終点に対応する横軸の値が「今見た感」の印象持続時間を示している。
【００２５】
図１の例では、種別が「ジャンル（映画）＆サブジャンル（ホラー）」であるコンテンツの今見た感の初期強度が最も強く、その持続時間も最も長くなっている。「ジャンル（映画）＆サブジャンル（ホラー）」のコンテンツは、例えば、ユーザが１週間に一度程度、視聴したいと感じるコンテンツである。また、種別が「ジャンル（映画）」である一般的な映画のコンテンツの今見た感の初期強度が最も弱く、その持続時間も最も短くなっている。すなわち、「ジャンル（映画）」のコンテンツは、ユーザが数日または数時間後にはまた視聴したいと感じるコンテンツである。
【００２６】
このように、「今見た感」の初期強度および持続時間は、コンテンツのジャンルや、コンテンツのタイトル（テレビコンテンツの場合、番組タイトル）、キーワード（例えば、人名や地名等の固有名詞）等、あるいは、これらの組み合わせ（種別）によって異なっている。
【００２７】
なお、「今見た感」は、視聴履歴という、ユーザが「見た」という確実な実績に対して、コンテンツのジャンルや出演者などの特徴（種別）毎に設定することが可能な指標であるため、提供コンテンツを決定するための指標として適している。「今見た感」の初期強度と印象持続時間とを予めコンテンツの種別毎に登録しておくことにより、よりユーザに適した提供コンテンツの決定に有用な指標（パラメータ）として利用可能になる。
【００２８】
従って、以下に説明する実施の形態においては、特許文献１および特許文献２に記載の視聴履歴のみを用いた嗜好の推定方法とは異なり、視聴履歴と共に短期印象である「今見た感」を利用したお薦めコンテンツの決定を行う。
【００２９】
このような問題を解決するために、本開示の一態様に係るコンテンツ提供装置は、複数のお薦めコンテンツの表示に関する情報を取得する取得部と、ユーザが視聴した視聴コンテンツの印象持続時間を取得する短期印象判定部と、前記視聴コンテンツの前記印象持続時間に基づいて、前記複数のお薦めコンテンツのうち、前記視聴コンテンツとコンテンツ種別が同じお薦めコンテンツの前記表示に関する情報を変更するお薦めコンテンツ決定部とを備える。
【００３０】
上記構成のコンテンツ提供装置によれば、印象持続時間に応じて、提供するお薦めコンテンツを決定できる。
【００３１】
特許文献１および特許文献２に記載の装置のように、印象持続時間を考慮しない場合、印象持続時間が比較的短い種別のコンテンツは、視聴履歴が多くなる傾向にあるため、優先的に提供コンテンツとして決定され易い。これに対し、印象持続時間の比較的長い種別のコンテンツは、印象持続時間の短いコンテンツと比較して視聴履歴が少なくなる傾向にあるため、ユーザの嗜好に合うコンテンツであっても、優先順位が低くなるあるいは提供コンテンツとして決定されなくなる可能性が高くなる。
【００３２】
これに対し、上記構成のコンテンツ提供装置によれば、印象持続時間に応じて、提供するお薦めコンテンツを決定できるので、印象持続時間が長く比較的視聴履歴が少ないが、ユーザの嗜好に適したコンテンツを、ユーザに高精度で、且つ、ユーザに適したタイミングで提供可能になる。
【００３３】
さらに、上記構成のコンテンツ提供装置は、印象持続時間を用いることにより、よりユーザに適したコンテンツを提供できるので、ユーザが、提供されたコンテンツから視聴するコンテンツを決定するまでの操作量を少なくすることが可能になる。すなわち、当該操作に係るコンテンツ提供装置における電力消費量を低減する効果も期待できる。
【００３４】
また、例えば、前記取得部は、前記表示に関する情報として、前記複数のお薦めコンテンツのお薦め度を取得し、前記お薦めコンテンツ決定部は、前記お薦めコンテンツの前記お薦め度を変更するように構成してもよい。
【００３５】
また、例えば、前記お薦めコンテンツ決定部は、さらに、変更後の前記お薦め度に基づいて、前記複数のお薦めコンテンツの表示の優先順位を決定するように構成してもよい。
【００３６】
また、例えば、前記お薦めコンテンツ決定部は、さらに、変更後の前記お薦め度に基づいて、前記複数のお薦めコンテンツの表示の可否を決定するように構成してもよい。
【００３７】
また、例えば、前記短期印象判定部は、前記印象持続時間に加え、前記視聴コンテンツの視聴終了時刻を取得し、前記お薦めコンテンツ決定部は、前記視聴コンテンツのうち、前記視聴終了時刻から前記印象持続時間が経過していない前記視聴コンテンツの前記印象持続時間に基づいて、前記表示に関する情報を変更するように構成してもよい。
【００３８】
また、例えば、前記お薦めコンテンツ決定部は、前記印象持続時間が長い前記視聴コンテンツに対応するお薦めコンテンツほど、前記お薦め度の減少量が大きくなるように、前記お薦め度を変更するように構成してもよい。
【００３９】
また、例えば、前記短期印象判定部は、前記印象持続時間に加え、前記視聴コンテンツの視聴終了時刻と、前記視聴コンテンツの印象の初期強度とを取得し、前記お薦めコンテンツ決定部は、前記視聴コンテンツのそれぞれについて、前記視聴終了時刻からの経過時間と前記印象持続時間と前記初期強度とに基づいて、現在の印象の強度を示す現在強度を算出し、前記現在強度に基づいて、前記表示に関する情報を変更するように構成してもよい。
【００４０】
また、例えば、前記お薦めコンテンツ決定部は、前記初期強度に、前記印象持続時間に対する前記印象持続時間と前記経過時間との差の割合を乗算することにより、前記現在強度を求めるように構成してもよい。
【００４１】
また、例えば、前記取得部は、前記表示に関する情報として、前記複数のお薦めコンテンツのお薦め度を取得し、前記お薦めコンテンツ決定部は、前記初期強度の最大値と前記現在強度との差を前記初期強度の最大値で除算した値を求めて重み係数とし、前記お薦め度に前記重み係数を乗算することにより、前記お薦め度を変更するように構成してもよい。
【００４２】
また、例えば、前記取得部は、前記表示に関する情報として、前記複数のお薦めコンテンツのお薦め度を取得し、前記お薦めコンテンツ決定部は、前記現在強度が大きい前記視聴コンテンツに対応するお薦めコンテンツほど、前記お薦め度の減少量が大きくなるように、前記お薦め度を変更するように構成してもよい。
【００４３】
また、例えば、前記コンテンツ種別は、コンテンツジャンル、前記視聴コンテンツのメタデータに含まれるキーワード、前記視聴コンテンツに出演する人物名、前記視聴コンテンツのタイトル、および、これらの組み合わせの少なくとも何れか１つによって規定してもよい。
【００４４】
本開示の一態様に係るコンテンツ提供プログラムは、ユーザに提供するコンテンツの決定をコンピュータに実行させるためのプログラムであって、複数のお薦めコンテンツの表示に関する情報を取得する工程と、ユーザが視聴した視聴コンテンツの印象持続時間を取得する工程と、前記視聴コンテンツの前記印象持続時間に基づいて、前記複数のお薦めコンテンツのうち、前記視聴コンテンツとコンテンツ種別が同じお薦めコンテンツの前記表示に関する情報を変更する工程とを含む。
【００４５】
本開示の一態様に係るコンテンツ提供方法は、複数のお薦めコンテンツの表示に関する情報を取得する工程と、ユーザが視聴した視聴コンテンツの印象持続時間を取得する工程と、前記視聴コンテンツの前記印象持続時間に基づいて、前記複数のお薦めコンテンツのうち、前記視聴コンテンツとコンテンツ種別が同じお薦めコンテンツの前記表示に関する情報を変更する工程とを含む。
【００４６】
以下、本発明の実施の形態を、図面を用いて詳細に説明する。なお、以下で説明する実施の形態は、いずれも本発明の望ましい一具体例を示すものである。以下の実施の形態で示される構成要素、構成要素の配置位置および接続形態、処理、処理の順序などは、一例であり、本発明を限定する主旨ではない。また、以下の実施の形態における構成要素のうち、本発明の最上位概念を示す独立請求項に記載されていない構成要素については、より望ましい形態を構成する任意の構成要素として説明される。
【００４７】
（実施の形態）
本発明に係るコンテンツ提供装置の実施の形態について、図２〜図９を基に説明する。
【００４８】
本実施の形態では、お薦めコンテンツ提供装置１００は、地上デジタル放送を視聴可能なテレビに搭載されている場合を例に説明する。また、本実施の形態では、コンテンツが、地上デジタル放送における番組である場合を例に説明する。また、各コンテンツの特徴を示すコンテンツ種別は、本実施の形態では、コンテンツのジャンル、タイトル、人名、地名、キーワード、あるいは、その組み合わせで規定している。
【００４９】
（１．構成）
コンテンツ提供装置の構成について、図２を基に説明する。図２は、本実施の形態におけるお薦めコンテンツ提供装置１００の構成例を示すブロック図である。
【００５０】
お薦めコンテンツ提供装置１００は、本実施の形態では、長期的な嗜好に基づく第１のお薦めコンテンツを用い、「今見た感」の強いコンテンツの順位が相対的に下がるように、第１のお薦めコンテンツの順位を入れ替えることにより、第２のお薦めコンテンツを求めるように構成されている。お薦めコンテンツ提供装置１００は、図２に示すように、コンテンツ情報取得部１０と、短期印象判定部２０と、第１のお薦めコンテンツ情報提供部３０と、第２のお薦めコンテンツ情報提供部４０（お薦めコンテンツ決定部に相当）とを備えて構成されている。
【００５１】
コンテンツ情報取得部１０は、テレビにおける視聴コンテンツの変化を検出した場合に、視聴コンテンツの変化前の視聴コンテンツ、すなわち、視聴終了コンテンツのメタデータを取得し、短期印象判定部２０および第１のお薦めコンテンツ情報提供部３０に送信する。本実施の形態では、メタデータは、ＥＰＧ（Ｅｌｅｃｔｒｏｎｉｃ  Ｐｒｏｇｒａｍ  Ｇｕｉｄｅ）情報から取得する場合を例に説明するが、これに限るものではない。メタデータは、例えば、放送波に重畳されるデータから取得してもよいし、ネットワーク上でコンテンツに関するメタデータを提供するサーバから取得してもよい。
【００５２】
図３は、コンテンツ情報取得部１０が短期印象判定部２０および第１のお薦めコンテンツ情報提供部３０に送信した視聴終了コンテンツのメタデータの一例を示す表である。コンテンツ情報取得部１０は、図３に示す例では、１つの視聴コンテンツに対し１行（１レコード）分のデータを取得し送信する。図３に示すメタデータには、視聴したコンテンツの「放送時間」「タイトル」「出演者」「ジャンル」「サブジャンル」「番組概要」が格納されている。なお、ＥＰＧ情報等から取得したメタデータに、図３に示す情報以外の情報が含まれ、データ量が多い場合等には、必要な情報のみを抽出して送信するように構成してもよい。
【００５３】
図３より、ユーザが、１月２３日の１４：００〜１５：００の時間に、タイトルが「青春」、ジャンルが「ドラマ」であるコンテンツ（テレビ放送）を視聴したことが分かる。また、図３より、ユーザが、同日の１５：００〜１６：００の時間に、タイトルが「世界探索：イタリア特集」、ジャンルが「ドキュメンタリー」であるコンテンツを視聴したことが分かる。さらに、図３より、ユーザが、同日の１６：００〜１８：００の時間に、タイトルが「地獄の悪霊」、ジャンルが「映画」であるコンテンツを視聴したことが分かる。
【００５４】
短期印象判定部２０は、メタデータが送信された視聴コンテンツについて、コンテンツ種別毎に視聴終了時刻と「今見た感」の初期強度と印象持続時間とを含む短期印象情報を生成するように構成され、短期印象決定テーブル保持部２１と、短期印象決定部２２とを備えている。
【００５５】
短期印象決定テーブル保持部２１は、本実施の形態では、コンテンツの種別毎に「今見た感」（短期印象）の初期強度と印象持続時間とを含む短期印象決定レコードを格納した短期印象決定テーブルを保持している。
【００５６】
図４は、短期印象決定テーブル保持部２１に格納された短期印象決定テーブルの一例を示す表である。図４に示す例では、１つの短期印象決定レコードに、識別情報としての印象決定ＩＤとコンテンツ種別と「今見た感」（短期印象）の初期強度とその持続時間とが格納されている。また、図４に示す例において、コンテンツ種別には、コンテンツ種別を決定する条件が設定されており、ジャンル、サブジャンル、出演者およびタイトル等、あるいは、その組み合わせで規定されている。人名、タイトルなどの固有値を持つメタデータにおいては、固有値の情報が「今見た感」に影響する。そのため、これらの固有値を、コンテンツ種別を決定する条件としている。
【００５７】
例えば、印象決定ＩＤ１の短期印象決定レコードには、コンテンツ種別としてジャンル（映画）＆サブジャンル（ホラー）が設定され、その「今見た感」（短期印象）の初期強度は１０であり、その持続時間は４８時間である。また、印象決定ＩＤ８の短期印象決定レコードには、コンテンツ種別としてジャンル（映画）が設定され、その「今見た感」（短期印象）の初期強度は３であり、その持続時間は３時間である。
【００５８】
なお、本実施の形態では、短期印象決定テーブルは、ユーザに対するお薦めコンテンツの決定の前に、予め登録されたデータであり、「今見た感」の初期強度および持続時間は、コンテンツの特徴毎に予め設定している場合を例に説明する。なお、「今見た感」の初期強度および持続時間をユーザがカスタマイズできるように構成してもよいし、ユーザが任意に初期印象決定レコードを追加あるいは削除できるように構成してもよい。
【００５９】
短期印象決定部２２は、コンテンツ情報取得部１０が取得したメタデータと短期印象決定テーブル保持部２１に格納された短期印象決定テーブルとに基づいて、短期印象情報（短期印象履歴レコード）を生成する。
【００６０】
具体的には、短期印象決定部２２は、短期印象決定テーブルから、メタデータに格納されたコンテンツ種別と一致するコンテンツ種別の短期印象決定レコードを抽出し、抽出した短期印象決定レコードに格納された「今見た感」（短期印象）の初期強度と持続時間とを取得する。さらに、短期印象決定部２２は、メタデータに格納された「視聴終了時刻」および「コンテンツ種別」と、短期印象情報から抽出した「今見た感の初期強度」および「今見た感の印象持続時間」を、短期印象履歴レコードとして後述する短期印象保持部４１に蓄積する。
【００６１】
図５は、短期印象保持部４１に格納する複数の短期印象履歴レコードからなる短期印象履歴テーブルの一例を示す表である。図５に示す例では、１つの短期印象履歴レコードに、識別情報としての印象履歴ＩＤと視聴終了時刻とコンテンツ種別と「今見た感」（短期印象）の初期強度とその持続時間とが格納されている。
【００６２】
なお、コンテンツ種別は、一つのコンテンツに対して複数存在する場合がある。この場合には、１つのコンテンツに対し、コンテンツ種別毎に、複数の短期印象履歴レコードを格納する。例えば、図３に示す１月２３日の１５：００に視聴を終了したコンテンツの場合、図４に示す短期印象決定テーブルのうち、２つの短期印象決定レコードが対応している。具体的には、印象決定ＩＤ４のコンテンツ種別が「タイトル（青春）」の短期印象決定レコードと、印象決定ＩＤ３のコンテンツ種別が「出演者（人名１）＆ジャンル（ドラマ）」の短期印象決定レコードの２つが、１月２３日の１５：００に視聴を終了したコンテンツに対応している。
【００６３】
第１のお薦めコンテンツ情報提供部３０は、長期的な視聴履歴から推定した長期嗜好情報に基づいて、第１のお薦めコンテンツを決定するように構成されており、ユーザ情報保持部３１とお薦めコンテンツ決定部３２とを備えている。
【００６４】
ユーザ情報保持部３１は、ユーザの長期的な嗜好に関する情報（長期嗜好情報）を保持している。ユーザの長期的な嗜好に関する情報としては、例えば、ユーザが視聴したコンテンツについて長期間（例えば、１年）にわたって蓄積されたメタデータや、ユーザが操作端末等を用いて登録した嗜好に関する情報（チェックイン情報）、長期間にわたるウェブサイトの閲覧履歴やソーシャルネットワーク上での活動履歴等が考えられる。
【００６５】
お薦めコンテンツ決定部３２は、複数のお薦め可能なコンテンツに関する情報、すなわち、メタデータを取得し、ユーザ情報保持部３１に格納されたユーザの長期的な嗜好に関する情報に基づいて、取得した複数のお薦め可能なコンテンツからユーザの長期的な嗜好に合致した第１のお薦めコンテンツを決定する。お薦め可能なコンテンツとは、例えば、現在放送中のあるいは放送開始予定のコンテンツであり、ネットワーク上でコンテンツに関する情報を提供するサーバから取得する。ここでのお薦めコンテンツの決定方法は、公知のお薦めコンテンツの決定方法を用いることができる。
【００６６】
図６は、第１のお薦めコンテンツ情報提供部３０によって求められた複数の第１のお薦めコンテンツのメタデータの一例を示す表である。図６に示すメタデータは、識別情報としての長期お薦めＩＤとお薦めの程度を表す第１のお薦め度とタイトルと出演者とジャンルとサブジャンルと番組概要とを含んでいる。
【００６７】
第２のお薦めコンテンツ情報提供部４０は、第１のお薦めコンテンツ情報提供部３０により決定された第１のお薦めコンテンツと、「今見た感」を用いて最終的なお薦めコンテンツを決定するように構成されており、短期印象保持部４１と、お薦めコンテンツ決定部４２とを備えている。
【００６８】
短期印象保持部４１は、「今見た感」に関する情報、すなわち、上述した短期印象決定部２２により生成された短期印象履歴テーブルを保持している。
【００６９】
お薦めコンテンツ決定部４２は、お薦めコンテンツ決定部３２が決定したユーザの長期的な嗜好に合致したお薦めコンテンツと、短期印象保持部４１で保持している短期印象履歴テーブルを用いて、最終的なお薦めコンテンツを再決定する。
【００７０】
より具体的には、お薦めコンテンツ決定部４２は、図６に示す第１のお薦めコンテンツ情報提供部３０から取得した第１のお薦めコンテンツに対して、「今見た感」の強い第１のお薦めコンテンツのお薦め度を低く変更する。すなわち、図６に示す第１のお薦めコンテンツのそれぞれに対して、コンテンツ種別が合致する短期印象履歴レコードを抽出し、抽出した短期印象履歴レコードの初期強度とその持続時間、コンテンツの視聴終了時刻からの経過時間を考慮して、第１のお薦め度を補正して最終的な第２のお薦め度を算出する。これにより、コンテンツの特徴に応じた「今見た感」のない、新鮮感のあるコンテンツを、ユーザに適したタイミングで提供することが可能になる。
【００７１】
（２．動作）
本発明に係るお薦めコンテンツ提供装置１００による「今見た感」を反映したお薦めコンテンツの提供方法について、図７〜図９を基に説明する。
【００７２】
なお、本実施の形態において、お薦めコンテンツ提供装置１００を搭載したテレビは、テレビ画面上に視聴コンテンツのみを表示する通常視聴モードと、テレビ画面上に視聴コンテンツとお薦めコンテンツを示す画像とを同時に表示するお薦めコンテンツ表示モードとを切り替え可能に構成されている。
【００７３】
お薦めコンテンツ提供装置１００は、本実施の形態では、視聴コンテンツが変更された場合に短期印象履歴テーブルを作成し、通常視聴モードからお薦めコンテンツ表示モードに切り替えられた場合に、お薦めコンテンツの決定を行うように構成されている。
【００７４】
（２．１  テレビの画面遷移について）
先ず、テレビにおける視聴コンテンツの変更と、通常視聴モードからお薦めコンテンツ表示モードへの切り替えについて、図７を基に説明する。
【００７５】
図７は、テレビ画面の画面遷移を示す模式図である。図７の（ａ）〜（ｃ）は、通常視聴モードを示し、図７の（ｄ）は、お薦めコンテンツ表示モードを示す。本実施の形態において、通常視聴モードからお薦めコンテンツ表示モードへの切り替えは、リモコンのお薦めコンテンツ表示ボタンを押下したタイミングとする。
【００７６】
図７では、ユーザは、通常視聴モードにおいて、ドラマ「青春」、ドキュメンタリー「世界探索：イタリア特集」、ホラー「地獄の悪霊」の順に視聴し、ホラー「地獄の悪霊」を視聴中にリモコンのお薦めコンテンツ表示ボタンを押下した場合を示しており、図７の（ｃ）と（ｄ）の間で通常視聴モードからお薦めコンテンツ表示モードに切り替わっている。お薦めコンテンツ表示モードにおいては、視聴中コンテンツ、ここでは、ホラー「地獄の悪霊」がやや縮小されて表示されるとともに、画面右側にお薦めコンテンツが複数表示される。
【００７７】
なお、通常視聴モードにおける視聴コンテンツの変更には、図７に示すように、ユーザがチャンネルを切り替えた場合や視聴コンテンツの放送時間が終了した場合などが考えられる。
【００７８】
（２．２  短期印象履歴テーブルの作成方法）
次に、視聴コンテンツが変更されたときに実行する短期印象履歴テーブルの作成処理について、図８Ａを基に説明する。
【００７９】
図８Ａは、短期印象履歴テーブルの作成処理の処理手順（短期印象履歴テーブルの作成方法）を示すフローチャートであり、視聴コンテンツの変更を検知した時に実行される。
【００８０】
お薦めコンテンツ提供装置１００は、視聴コンテンツの変化が検出されると、図８Ａに示すように、コンテンツ情報取得部１０により、視聴コンテンツの変化前の視聴コンテンツ、すなわち直前の視聴終了コンテンツのメタデータを、ＥＰＧ情報から取得し、短期印象判定部２０の短期印象決定部２２に送信する（ステップＳ１０）。本実施の形態では、コンテンツ情報取得部１０が取得するメタデータは、図３に示すメタデータであり、１行（１レコード）分のデータを取得する場合を例に説明する。
【００８１】
次に、お薦めコンテンツ提供装置１００は、短期印象決定部２２により、コンテンツ情報取得部１０から受信したメタデータについて、「今見た感」の初期強度と印象持続時間とを含む短期印象情報（短期印象履歴レコード）を生成し、短期印象保持部４１に蓄積する（ステップＳ１１）。
【００８２】
より具体的には、短期印象決定部２２は、図３に示す視聴コンテンツのメタデータに、「タイトル」「出演者」「ジャンル」「サブジャンル」が格納されていることから、これらのデータを条件として、図４に示す短期印象決定テーブルのコンテンツ種別を検索し、条件に合うコンテンツ種別の短期印象決定レコードを抽出する。さらに、短期印象決定部２２は、抽出した短期印象決定レコードのそれぞれについて、視聴終了時刻を付加した短期印象履歴レコードを生成し、短期印象保持部４１に蓄積する。
【００８３】
例えば、図３に示すメタデータのうち、１行目に示すメタデータには、タイトル（青春）、出演者（人名１）、ジャンル（ドラマ）、サブジャンル（時代劇）が格納されている。短期印象決定部２２は、図４に示す短期印象決定テーブルを構成する短期印象決定レコードのコンテンツ種別を順に取得し、条件に一致するか否かを判定する。本実施の形態では、図４に示す例では、印象決定ＩＤ３の「出演者（人名１）＆ジャンル（ドラマ）」および印象決定ＩＤ４の「タイトル（青春）」の２つの短期印象決定レコードが、メタデータの条件を満たしている。短期印象決定部２２は、条件に合致する２つの短期印象決定レコードから、「今見た感」の初期強度と印象持続時間とを抽出する。さらに、短期印象決定部２２は、２つの短期印象決定レコードのそれぞれについて、視聴終了時刻（１５：００）を付加した短期印象履歴レコードを生成し、短期印象保持部４１に蓄積する。ここで生成される短期印象履歴レコードは、図５に示す短期印象履歴テーブルのうち、印象履歴ＩＤ１の「出演者（人名１）＆ジャンル（ドラマ）」の短期印象履歴レコードと、印象履歴ＩＤ２の「タイトル（青春）」の短期印象履歴レコードである。
【００８４】
また、例えば、図３に示すメタデータのうち、２行目に示すメタデータには、タイトル（世界探索：イタリア特集）、出演者（人名３）、ジャンル（ドキュメンタリー）、サブジャンル（歴史・紀行）が格納され、番組概要に、キーワードとして（イタリア）が格納されている。短期印象決定部２２は、図４に示す短期印象決定テーブルから、コンテンツ種別の条件に合致する短期印象決定レコードとして、印象決定ＩＤ６の「タイトル（世界探索：イタリア特集）」の短期印象決定レコードと、印象決定ＩＤ７の「キーワード（イタリア）」の短期印象決定レコードの２つを抽出し、視聴終了時刻（１６：００）を付加した短期印象履歴レコードを生成し、短期印象保持部４１に蓄積する。ここで生成される短期印象履歴レコードは、図５に示す短期印象履歴テーブルのうち、印象履歴ＩＤ３および印象履歴ＩＤ４の２つの短期印象履歴レコードである。
【００８５】
また、例えば、図３に示すメタデータのうち、３行目に示すメタデータには、タイトル（地獄の悪霊）、出演者（人名３）、ジャンル（映画）、サブジャンル（ホラー）が格納されている。短期印象決定部２２は、図４に示す短期印象決定テーブルから、コンテンツ種別の条件に合致する短期印象決定レコードとして、印象決定ＩＤ１の「ジャンル（映画）＆サブジャンル（ホラー）」、印象決定ＩＤ２の「出演者（人名３）＆ジャンル（映画）」、印象決定ＩＤ８の「ジャンル（映画）」、印象決定ＩＤ５の「タイトル（地獄の悪霊）」の４つの短期印象決定レコードを抽出し、視聴終了時刻（１８：００）を付加した短期印象履歴レコードを生成し、短期印象保持部４１に蓄積する。ここで生成される短期印象履歴レコードは、図５に示す短期印象履歴テーブルの印象決定ＩＤ５〜印象決定ＩＤ８の４つの短期印象履歴レコードである。
【００８６】
（２．３  お薦めコンテンツの提供方法）
次に、お薦めコンテンツの提供方法について、図８Ｂを基に説明する。
【００８７】
図８Ｂは、お薦めコンテンツの提供処理の処理手順（お薦めコンテンツの提供方法）を示すフローチャートであり、ユーザがテレビのリモコンのお薦めコンテンツ表示ボタンを押下したときに実行される。
【００８８】
お薦めコンテンツ表示ボタンが押下されると、先ず、コンテンツ情報取得部１０は、視聴中の視聴コンテンツのメタデータを取得し、短期印象決定部２２を介して第２のお薦めコンテンツ情報提供部４０に送信する（ステップＳ２０）。
【００８９】
次に、短期印象決定部２２は、コンテンツ情報取得部１０から受信した視聴中の視聴コンテンツのメタデータについて、「今見た感」の初期強度と印象持続時間とを含む短期印象情報を生成し、短期印象保持部４１に蓄積する（ステップＳ２１）。なお、当該ステップＳ２１の処理手順は、視聴終了時刻の付加を除き、ステップＳ１１の処理手順と同じである。ステップＳ１１では、蓄積される短期印象情報に視聴終了時刻が付加されるが、当該ステップにおいては、コンテンツの視聴中であり視聴終了時刻が定まっていない。従って、現在時刻を仮の視聴終了時刻として格納する。このとき、視聴終了時刻を仮設定した短期印象情報の印象履歴ＩＤを保持しておき、視聴コンテンツの変更が生じたときに、当該印象履歴ＩＤの視聴終了時刻を再設定する。つまり、視聴コンテンツの視聴中に既に図８Ａに示す短期印象履歴テーブルの作成処理を実行しているため、再度短期印象履歴テーブルの作成処理を実行することなく、視聴終了時刻の再設定のみ行う。
【００９０】
第２のお薦めコンテンツ情報提供部４０は、第１のお薦めコンテンツ情報提供部３０から第１のお薦めコンテンツを取得する（ステップＳ２２）。第１のお薦めコンテンツ情報提供部３０は、本実施の形態では、お薦めコンテンツ表示ボタンが押下されたときに、お薦めコンテンツ決定部３２により、ユーザ情報保持部３１に格納されたユーザの長期的な嗜好情報に基づいて、お薦め可能なコンテンツの中からユーザの長期的な嗜好に合致した第１のお薦めコンテンツを決定する。
【００９１】
次に、第２のお薦めコンテンツ情報提供部４０は、第１のお薦めコンテンツ情報提供部３０から出力されたユーザの長期的な嗜好に合致した第１のお薦めコンテンツのそれぞれについて、短期印象保持部４１に保持された短期印象履歴テーブルから、コンテンツ種別の合致する短期印象履歴レコードを抽出する（ステップＳ２３）。ここで、同じコンテンツ種別の短期印象履歴レコードがある場合は、最新の短期印象履歴レコードを抽出する。すなわち、１つのコンテンツ種別については１つの短期印象履歴レコードを抽出する。
【００９２】
例えば、図６に示す第１のお薦めコンテンツのメタデータにおいて、長期お薦めＩＤ１のコンテンツの場合、第１のお薦め度（２００）、タイトル（晩春）、出演者（人名１）、ジャンル（ドラマ）、サブジャンル（時代劇）が格納されている。これらのデータを条件として図５に示す短期印象履歴テーブルを検索した場合、印象履歴ＩＤ１の「出演者（人名１）＆ジャンル（ドラマ）」の短期印象履歴レコードが抽出される。同様にして、長期お薦めＩＤ３のコンテンツの場合、第１のお薦め度（１８０）、タイトル「ゾンビ」、出演者（人名５）、ジャンル（映画）、サブジャンル（ホラー）が格納されている。これらのデータを条件として図５に示す短期印象履歴テーブルを検索した場合、図５に示す印象履歴ＩＤ６の「ジャンル（映画）＆サブジャンル（ホラー）」の短期印象履歴レコードと、印象履歴ＩＤ７の「ジャンル（映画）」の短期印象履歴レコードとが抽出される。さらに、長期お薦めＩＤ４のコンテンツの場合、第１のお薦め度（１５０）、タイトル（青春）出演者（人名６）、ジャンル（ドラマ）、サブジャンル（時代劇）が格納されている。これらのデータを条件として図５に示す短期印象履歴テーブルを検索した場合、図５に示す印象履歴ＩＤ２の「タイトル（青春）」の短期印象履歴レコードが抽出される。また、長期お薦めＩＤ５のコンテンツの場合、第１のお薦め度（１１３）、タイトル「世界のクイズ」、出演者（人名７）、ジャンル（バラエティ）、サブジャンル（クイズ）、番組概要にキーワード（イタリア）が格納されている。これらのデータを条件として図５に示す短期印象履歴テーブルを検索した場合、図５に示す印象履歴ＩＤ３の「キーワード（イタリア）」の短期印象履歴レコードが抽出される。
【００９３】
次に、第２のお薦めコンテンツ情報提供部４０は、図８Ｂに示すように、ステップＳ２３で抽出した短期印象履歴レコードのそれぞれについて、「今見た感」の現在における短期印象の強度（現在強度）の計算を行う（ステップＳ２４）。本実施の形態における「今見た感」の現在強度は、以下の式１で求められる。
【００９４】
現在強度＝初期強度×（印象持続時間−（現在時刻−視聴終了時刻））／印象持続時間    ・・・（１）
【００９５】
ただし、視聴終了時刻からの経過時間が印象持続時間より長い場合、すなわち、（「今見た感」の印象持続時間−（現在時刻−視聴終了時刻））＜０の場合は、現在強度＝０とする。
【００９６】
例えば、現在時刻が１８：００である場合に、図５に示す印象履歴ＩＤ１の短期印象履歴レコードの「今見た感」の現在強度は、「今見た感」の初期強度が７、「今見た感」の印象持続時間は２４時間、視聴終了時刻は１５：００であるため、７×（２４−（１８−１５））／２４＝６．１２５となる。同様にして、印象履歴ＩＤ２の短期印象履歴レコードの「今見た感」の現在強度は、５×（１２−（１８−１５））／１２＝３．７５となる。印象履歴ＩＤ３の短期印象履歴レコードの「今見た感」の現在強度は、３×（８−（１８−１６））／８＝２．２５となる。印象履歴ＩＤ６の短期印象履歴レコードの「今見た感」の現在強度は、１０×（４８−（１８−１８））／４８＝１０となる。印象履歴ＩＤ７の短期印象履歴レコードの「今見た感」の現在強度は、３×（４−（１８−１８））／４＝３となる。
【００９７】
次に、第２のお薦めコンテンツ情報提供部４０は、図８Ｂに示すように、「今見た感」の現在強度と第１のお薦め度から「今見た感」を反映した第２のお薦め度の計算を行う（ステップＳ２５）。本実施の形態における第２のお薦め度（「今見た感」反映後）は、以下の式２で求められる。
【００９８】
第２のお薦め度＝第１のお薦め度×Π重み係数    ・・・（２）
【００９９】
なお、第１のお薦めコンテンツに対し、複数の短期印象履歴レコードが抽出された場合は、複数の短期印象履歴レコードのそれぞれについて重み係数を算出し、算出した全ての重み係数と第１のお薦め度とを積算して、第２のお薦め度を求める。なお、重み係数は、現在時刻に依存する係数であり、以下の式３で求められる。
【０１００】
重み係数＝（「今見た感」の最大強度−「今見た感」の現在強度）／「今見た感」の最大強度    ・・・（３）
【０１０１】
ここで、「今見た感」の最大強度は、図４に示す短期印象決定テーブルに格納された「今見た感」の初期強度の最大値、図４の例では１０とする。
【０１０２】
例えば、図５に示す印象履歴ＩＤ１のコンテンツ種別が「出演者（人名１）＆ジャンル（ドラマ）」の短期印象履歴レコードの場合、重み係数は、（１０−６．１２５）／１０＝０．３８７５となる。同様にして、図５に示す印象履歴ＩＤ２の重み係数は、（１０−３．７５）／１０＝０．６２５、印象履歴ＩＤ３の重み係数は、（１０−２．２５）／１０＝０．７７５、印象履歴ＩＤ６の重み係数は、（１０−１０）／１０＝０、印象履歴ＩＤ７の重み係数は、（１０−３）／１０＝０．７となる。
【０１０３】
従って、図６に示す長期お薦めＩＤ１のタイトル「晩春」というコンテンツの第２のお薦め度は、第１のお薦め度２００×重み係数０．３８７５＝７７．５となる。同様にして、長期お薦めＩＤ４のコンテンツの第２のお薦め度は、１５０×０．６２５＝９３．７５となり、長期お薦めＩＤ５のコンテンツの第２のお薦め度は、１１３×０．７７５＝８７．５７５となる。なお、長期お薦めＩＤ３のコンテンツの場合、抽出された短期印象履歴レコードが２つであるため、重み係数も２つとなる。よって、長期お薦めＩＤ３のコンテンツの第２のお薦め度は、１８０×（０×０．７）＝０となる。
【０１０４】
ただし、ステップＳ２３で短期印象履歴レコードが抽出されなかった第１のお薦めコンテンツについては、第２お薦め度＝第１お薦め度とする。
【０１０５】
次に、第２のお薦めコンテンツ情報提供部４０は、図８Ｂに示すように、「今見た感」を反映した第２のお薦め度の値で、第１のお薦めコンテンツ情報提供部３０から取得した第１のお薦めコンテンツのソートを行い、ソート結果を出力する（ステップＳ２６）。
【０１０６】
図９は、第１のお薦めコンテンツのソート結果の一例を示す表であり、１つのレコードに、第２のお薦めコンテンツ情報提供部４０で再決定された第２のお薦め度と、第１のお薦めコンテンツ情報提供部３０で設定された長期お薦めＩＤ、タイトル、出演者、ジャンル、サブジャンルおよび番組概要が格納されている。
【０１０７】
図９に示す第２のお薦めコンテンツの第２のお薦め度の一部は、図６に示す第１のお薦めコンテンツの第１のお薦め度と異なっている。すなわち、長期お薦めＩＤ１のコンテンツは、図６に示すように、第１のお薦め度は２００であるが、図９に示すように、「今見た感」の反映後の第２のお薦め度は７７．５となっている。また、長期お薦めＩＤ３のコンテンツは、図６に示すように、第１のお薦め度は１８０であるが、図９に示すように、第２のお薦め度は０となっている。さらに、長期お薦めＩＤ４のコンテンツは、図６に示すように、第１のお薦め度は１５０であるが、図９に示すように、第２のお薦め度は９３．８となっている。さらに、長期お薦めＩＤ５のコンテンツは、図６に示すように、第１お薦め度は１１３であるが、図９に示すように、第２のお薦め度は８７．６となっている。
【０１０８】
本実施の形態では、第２のお薦めコンテンツ情報提供部４０は、第２のお薦め度が０となった第１のお薦めコンテンツ以外のコンテンツを第２のお薦めコンテンツとし、第２のお薦め度の高い順に第２のお薦めコンテンツのメタデータを出力する。なお、第２のお薦めコンテンツを示すメタデータと第２のお薦め度とを出力するように構成してもよいし、全ての第１のお薦めコンテンツを第２のお薦めコンテンツとし、全ての第１のお薦めコンテンツのメタデータを第２のお薦め度と関連付けて出力するように構成してもよい。
【０１０９】
次に、お薦めコンテンツ提供装置１００は、テレビ画面上に、「今見た感」を反映した第２のお薦めコンテンツを表示する（ステップＳ２７）。本実施の形態では、図７（ｄ）に示すように、視聴中のコンテンツがやや縮小されて画面左上側に表示されるとともに、画面右側にお薦めコンテンツが複数表示される。図７（ｄ）では、お薦めコンテンツの表示領域は３つであり、第２のお薦め度が高い順に３つの第２のお薦めコンテンツを示す画像が表示される。図９に示すソート結果の場合、長期お薦めＩＤ２、４、６のコンテンツを示す画像が表示される。
【０１１０】
以上のように、本発明に係るコンテンツ提供装置によれば、コンテンツの特徴に応じた「今見た感」の初期強度やその持続時間を用いることで、ユーザの短期的な嗜好情報を推定する必要なく、ユーザの視聴履歴から、ユーザにとって「今見た感」のない新鮮感のあるコンテンツの推薦を行うことが可能になる。
【０１１１】
（別実施の形態）
（１）上記実施の形態では、お薦めコンテンツを表示するお薦めコンテンツ表示モードに切り替わるタイミングを、リモコンのお薦めコンテンツ表示ボタンを押下した時として説明したが、これに限るものではない。例えば、ユーザによるザッピングの検出時や、テレビに接続されたレコーダーやセットトップボックスのメニュー表示時、コンテンツ検索のための文字入力時などの他のタイミングでお薦めコンテンツを表示するようにしてもよいし、上述したタイミングのうちの複数のタイミングでお薦めコンテンツを表示するように構成してもよい。
【０１１２】
（２）上記実施の形態では、第２のお薦めコンテンツは、第１のお薦めコンテンツを第２のお薦め度の大小によってソートして順位付けを行うことにより決定したが、これに限るものではない。例えば、第２のお薦めコンテンツは、第１のお薦めコンテンツを第１のお薦め度に基づいてソートした後、対応する短期印象履歴情報がある第１のお薦めコンテンツについて、「今見た感」の現在強度の値に基づいて、お薦め順位を下げて順位付けすることにより決定してもよい。また、例えば、第２のお薦めコンテンツは、第１のお薦めコンテンツのうち、対応する短期印象履歴情報がある第１のお薦めコンテンツは削除したりする等、他の方法を用いてもよい。
【０１１３】
（３）なお、上記実施の形態では、お薦めコンテンツ提供装置１００をテレビ内に搭載する場合を例に説明したが、コンテンツ情報取得部１０、短期印象判定部２０、第１のお薦めコンテンツ情報提供部３０および第２のお薦めコンテンツ情報提供部４０は、これらの一部または全部を、セットトップボックスやサーバなどに設けてもよい。この場合には、お薦めコンテンツ提供装置１００が、ユーザの視聴コンテンツを識別可能に構成すればよい。
【０１１４】
（４）上記実施の形態では、図１に示すように、「今見た感」の強度は、視聴終了後、一定の割合で低下する場合を例に説明したが、これに限るものではない。例えば、視聴終了後から一定期間は初期強度を維持する、あるいは、時間の経過とともに低下率が大きくなるように設定されていてもよい。また、「今見た感」の強度と経過時間の関係は、コンテンツ種別毎に、異なっていてもよい。なお、本実施の形態では、「今見た感」の強度と経過時間の関係が図１に示す関係を有する場合を想定していることから、短期印象決定テーブル保持部２１が、図４に示す短期印象決定テーブルを備える場合を例に説明したが、「今見た感」の強度と経過時間の関係が異なる場合は、任意の現在時刻において、「今見た感」の現在強度が特定できる情報を格納するように構成する。
【０１１５】
（５）上記実施の形態では、お薦めコンテンツ提供装置１００が、第１のお薦めコンテンツ情報提供部３０を備えて構成されていたが、第１のお薦めコンテンツ情報提供部３０は、本発明の必須構成ではない。第１のお薦めコンテンツ情報提供部３０は、お薦めコンテンツ提供装置１００の外部、例えば、ネットワーク上に設けられたサーバ等に構築されていてもよい。この場合には、お薦めコンテンツ提供装置１００が、第１のお薦めコンテンツ情報提供部３０からネットワーク等を介して、第１のお薦めコンテンツのメタデータとお薦め度を取得可能に構成する。
【０１１６】
（６）上記実施の形態では、短期印象決定部２２を、ステップＳ１１において、視聴コンテンツのメタデータに基づいて抽出した短期印象決定レコードの全てについて、短期印象履歴レコードを作成するように構成し、第２のお薦めコンテンツ情報提供部４０は、ステップＳ２３において、同じコンテンツ種別の短期印象履歴レコードがある場合は、最新の短期印象履歴レコードを抽出するように構成したが、これに限るものではない。
【０１１７】
例えば、短期印象決定部２２は、視聴コンテンツのメタデータに基づいて抽出した短期印象決定レコードのうち、コンテンツ種別が一致する短期印象履歴レコードがない場合は、新たに短期印象履歴レコードを作成し、コンテンツ種別が一致する短期印象履歴レコードがある場合は、視聴終了時刻を上書きするように構成してもよい。
【０１１８】
同じコンテンツの情報が、重複して第２のお薦め度に反映されないように構成すればよい。
【０１１９】
（７）なお、上記実施の形態において、ブロック図（図２）の各機能ブロックは典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１２０】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【０１２１】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１２２】
また、上記実施の形態において、各構成要素は専用のハードウェアにより構成されてもよく、あるいは、ソフトウェアにより実現可能な構成要素については、プログラムを実行することによって実現されてもよい。
【０１２３】
以上、図面を参照して本発明の実施の形態を説明したが、本発明は、これらに限定されるものではない。上述した実施の形態に対して、本発明と同一の範囲において、あるいは均等の範囲内において、様々な変形や追加、変更が可能である。
【産業上の利用可能性】
【０１２４】
本発明によれば、市場に大量に存在する視聴コンテンツからユーザにとって「今見た感」のない新鮮なコンテンツの推薦を行うことができるため、効率的なコンテンツの発見を行うことができ有用である。また、お薦めコンテンツを提供する側にとっても大量に保有しているコンテンツのユーザによる視聴機会を増加させる方法として有用である。
【符号の説明】
【０１２５】
１０    コンテンツ情報取得部
２０    短期印象判定部
２１    短期印象決定テーブル保持部
２２    短期印象決定部
３０    第１のお薦めコンテンツ情報提供部
３１    ユーザ情報保持部
３２    お薦めコンテンツ決定部
４０    第２のお薦めコンテンツ情報提供部
４１    短期印象保持部
４２    お薦めコンテンツ決定部
１００  お薦めコンテンツ提供装置
【手続補正２】
【補正対象書類名】特許請求の範囲
【補正対象項目名】全文
【補正方法】変更
【補正の内容】
【特許請求の範囲】
【請求項１】
複数のお薦めコンテンツの表示に関する情報を取得する取得部と、
ユーザが視聴した視聴コンテンツの印象持続時間を取得する短期印象判定部と、
前記視聴コンテンツの前記印象持続時間に基づいて、前記複数のお薦めコンテンツのうち、前記視聴コンテンツとコンテンツ種別が同じお薦めコンテンツの前記表示に関する情報を変更するお薦めコンテンツ決定部とを備える
お薦めコンテンツ提供装置。
【請求項２】
前記取得部は、前記表示に関する情報として、前記複数のお薦めコンテンツのお薦め度を取得し、
前記お薦めコンテンツ決定部は、前記お薦めコンテンツの前記お薦め度を変更する
請求項１に記載のお薦めコンテンツ提供装置。
【請求項３】
前記お薦めコンテンツ決定部は、さらに、変更後の前記お薦め度に基づいて、前記複数のお薦めコンテンツの表示の優先順位を決定する
請求項２に記載のお薦めコンテンツ提供装置。
【請求項４】
前記お薦めコンテンツ決定部は、さらに、変更後の前記お薦め度に基づいて、前記複数のお薦めコンテンツの表示の可否を決定する
請求項２に記載のお薦めコンテンツ提供装置。
【請求項５】
前記短期印象判定部は、前記印象持続時間に加え、前記視聴コンテンツの視聴終了時刻を取得し、
前記お薦めコンテンツ決定部は、前記視聴コンテンツのうち、前記視聴終了時刻から前記印象持続時間が経過していない前記視聴コンテンツの前記印象持続時間に基づいて、前記表示に関する情報を変更する
請求項２〜４の何れか１項に記載のお薦めコンテンツ提供装置。
【請求項６】
前記お薦めコンテンツ決定部は、前記印象持続時間が長い前記視聴コンテンツに対応するお薦めコンテンツほど、前記お薦め度の減少量が大きくなるように、前記お薦め度を変更する
請求項２〜５の何れか１項に記載のお薦めコンテンツ提供装置。
【請求項７】
前記短期印象判定部は、前記印象持続時間に加え、前記視聴コンテンツの視聴終了時刻と、前記視聴コンテンツの印象の初期強度とを取得し、
前記お薦めコンテンツ決定部は、前記視聴コンテンツのそれぞれについて、前記視聴終了時刻からの経過時間と前記印象持続時間と前記初期強度とに基づいて、現在の印象の強度を示す現在強度を算出し、前記現在強度に基づいて、前記表示に関する情報を変更する
請求項１に記載のお薦めコンテンツ提供装置。
【請求項８】
前記お薦めコンテンツ決定部は、前記初期強度に、前記印象持続時間に対する前記印象持続時間と前記経過時間との差の割合を乗算することにより、前記現在強度を求める
請求項７に記載のお薦めコンテンツ提供装置。
【請求項９】
前記取得部は、前記表示に関する情報として、前記複数のお薦めコンテンツのお薦め度を取得し、
前記お薦めコンテンツ決定部は、前記初期強度の最大値と前記現在強度との差を前記初期強度の最大値で除算した値を求めて重み係数とし、前記お薦め度に前記重み係数を乗算することにより、前記お薦め度を変更する
請求項７または８に記載のお薦めコンテンツ提供装置。
【請求項１０】
前記取得部は、前記表示に関する情報として、前記複数のお薦めコンテンツのお薦め度を取得し、
前記お薦めコンテンツ決定部は、前記現在強度が大きい前記視聴コンテンツに対応するお薦めコンテンツほど、前記お薦め度の減少量が大きくなるように、前記お薦め度を変更する
請求項７または８に記載のお薦めコンテンツ提供装置。
【請求項１１】
前記コンテンツ種別は、コンテンツジャンル、前記視聴コンテンツのメタデータに含まれるキーワード、前記視聴コンテンツに出演する人物名、前記視聴コンテンツのタイトル、および、これらの組み合わせの少なくとも何れか１つによって規定される
請求項１〜１０の何れか１項に記載のお薦めコンテンツ提供装置。
【請求項１２】
ユーザに提供するコンテンツの決定をコンピュータに実行させるためのお薦めコンテンツ提供プログラムであって、
複数のお薦めコンテンツの表示に関する情報を取得する工程と、
ユーザが視聴した視聴コンテンツの印象持続時間を取得する工程と、
前記視聴コンテンツの前記印象持続時間に基づいて、前記複数のお薦めコンテンツのうち、前記視聴コンテンツとコンテンツ種別が同じお薦めコンテンツの前記表示に関する情報を変更する工程とを含む
お薦めコンテンツ提供プログラム。
【請求項１３】
複数のお薦めコンテンツの表示に関する情報を取得する工程と、
ユーザが視聴した視聴コンテンツの印象持続時間を取得する工程と、
前記視聴コンテンツの前記印象持続時間に基づいて、前記複数のお薦めコンテンツのうち、前記視聴コンテンツとコンテンツ種別が同じお薦めコンテンツの前記表示に関する情報を変更する工程とを含む
お薦めコンテンツ提供方法。
【請求項１４】
複数のお薦めコンテンツに関する情報を取得する第一取得部と、
ユーザが視聴した視聴コンテンツの属性情報を取得する第二取得部と、
前記属性情報ごとに設定された時間情報を前記視聴コンテンツの印象持続時間として決定する時間情報決定部と、
前記視聴コンテンツの視聴時からの経過時間及び前記印象持続時間及び前記複数のお薦めコンテンツに関する情報に基づいて、前記複数のお薦めコンテンツの優先度を決定する優先度決定部と、
を備えるコンテンツ提供装置。
【手続補正３】
【補正対象書類名】図面
【補正対象項目名】全図
【補正方法】変更
【補正の内容】
【図１】
2013118198.tif 000013
【図２】
2013118198.tif 000014
【図３】
2013118198.tif 000015
【図４】
2013118198.tif 000016
【図５】
2013118198.tif 000017
【図６】
2013118198.tif 000018
【図７】
2013118198.tif 000019
【図８Ａ】
2013118198.tif 000020
【図８Ｂ】
2013118198.tif 000021
【図９】
2013118198.tif 000022
【手続補正書】
【提出日】平成25年4月25日(2013.4.25)
【手続補正１】
【補正対象書類名】特許請求の範囲
【補正対象項目名】全文
【補正方法】変更
【補正の内容】
【特許請求の範囲】
【請求項１】
複数のお薦めコンテンツの表示に関する情報を取得する取得部と、
ユーザが視聴した視聴コンテンツの印象持続時間を取得する短期印象判定部と、
前記視聴コンテンツの前記印象持続時間に基づいて、前記複数のお薦めコンテンツのうち、前記視聴コンテンツとコンテンツ種別が同じお薦めコンテンツの前記表示に関する情報を変更するお薦めコンテンツ決定部とを備える
お薦めコンテンツ提供装置。
【請求項２】
前記取得部は、前記表示に関する情報として、前記複数のお薦めコンテンツのお薦め度を取得し、
前記お薦めコンテンツ決定部は、前記お薦めコンテンツの前記お薦め度を変更する
請求項１に記載のお薦めコンテンツ提供装置。
【請求項３】
前記お薦めコンテンツ決定部は、さらに、変更後の前記お薦め度に基づいて、前記複数のお薦めコンテンツの表示の優先順位を決定する
請求項２に記載のお薦めコンテンツ提供装置。
【請求項４】
前記お薦めコンテンツ決定部は、さらに、変更後の前記お薦め度に基づいて、前記複数のお薦めコンテンツの表示の可否を決定する
請求項２に記載のお薦めコンテンツ提供装置。
【請求項５】
前記短期印象判定部は、前記印象持続時間に加え、前記視聴コンテンツの視聴終了時刻を取得し、
前記お薦めコンテンツ決定部は、前記視聴コンテンツのうち、前記視聴終了時刻から前記印象持続時間が経過していない前記視聴コンテンツの前記印象持続時間に基づいて、前記表示に関する情報を変更する
請求項２〜４の何れか１項に記載のお薦めコンテンツ提供装置。
【請求項６】
前記お薦めコンテンツ決定部は、前記印象持続時間が長い前記視聴コンテンツに対応するお薦めコンテンツほど、前記お薦め度の減少量が大きくなるように、前記お薦め度を変更する
請求項２〜５の何れか１項に記載のお薦めコンテンツ提供装置。
【請求項７】
前記短期印象判定部は、前記印象持続時間に加え、前記視聴コンテンツの視聴終了時刻と、前記視聴コンテンツの印象の初期強度とを取得し、
前記お薦めコンテンツ決定部は、前記視聴コンテンツのそれぞれについて、前記視聴終了時刻からの経過時間と前記印象持続時間と前記初期強度とに基づいて、現在の印象の強度を示す現在強度を算出し、前記現在強度に基づいて、前記表示に関する情報を変更する
請求項１に記載のお薦めコンテンツ提供装置。
【請求項８】
前記お薦めコンテンツ決定部は、前記初期強度に、前記印象持続時間に対する前記印象持続時間と前記経過時間との差の割合を乗算することにより、前記現在強度を求める
請求項７に記載のお薦めコンテンツ提供装置。
【請求項９】
前記取得部は、前記表示に関する情報として、前記複数のお薦めコンテンツのお薦め度を取得し、
前記お薦めコンテンツ決定部は、前記初期強度の最大値と前記現在強度との差を前記初期強度の最大値で除算した値を求めて重み係数とし、前記お薦め度に前記重み係数を乗算することにより、前記お薦め度を変更する
請求項７または８に記載のお薦めコンテンツ提供装置。
【請求項１０】
前記取得部は、前記表示に関する情報として、前記複数のお薦めコンテンツのお薦め度を取得し、
前記お薦めコンテンツ決定部は、前記現在強度が大きい前記視聴コンテンツに対応するお薦めコンテンツほど、前記お薦め度の減少量が大きくなるように、前記お薦め度を変更する
請求項７または８に記載のお薦めコンテンツ提供装置。
【請求項１１】
前記コンテンツ種別は、コンテンツジャンル、前記視聴コンテンツのメタデータに含まれるキーワード、前記視聴コンテンツに出演する人物名、前記視聴コンテンツのタイトル、および、これらの組み合わせの少なくとも何れか１つによって規定される
請求項１〜１０の何れか１項に記載のお薦めコンテンツ提供装置。
【請求項１２】
ユーザに提供するコンテンツの決定をコンピュータに実行させるためのお薦めコンテンツ提供プログラムであって、
コンピュータに、
複数のお薦めコンテンツの表示に関する情報を取得する工程と、
ユーザが視聴した視聴コンテンツの印象持続時間を取得する工程と、
前記視聴コンテンツの前記印象持続時間に基づいて、前記複数のお薦めコンテンツのうち、前記視聴コンテンツとコンテンツ種別が同じお薦めコンテンツの前記表示に関する情報を変更する工程とを実行させる
お薦めコンテンツ提供プログラム。
【請求項１３】
ユーザに提供するコンテンツの決定を行うお薦めコンテンツ提供装置によるお薦めコンテンツ提供方法であって、
前記お薦めコンテンツ提供装置が備える取得部が、複数のお薦めコンテンツの表示に関する情報を取得する工程と、
前記お薦めコンテンツ提供装置が備える短期印象判定部が、ユーザが視聴した視聴コンテンツの印象持続時間を取得する工程と、
前記お薦めコンテンツ提供装置が備えるお薦めコンテンツ決定部が、前記視聴コンテンツの前記印象持続時間に基づいて、前記複数のお薦めコンテンツのうち、前記視聴コンテンツとコンテンツ種別が同じお薦めコンテンツの前記表示に関する情報を変更する工程とを含む
お薦めコンテンツ提供方法。
【請求項１４】
複数のお薦めコンテンツに関する情報を取得する第一取得部と、
ユーザが視聴した視聴コンテンツの属性情報を取得する第二取得部と、
前記属性情報ごとに設定された時間情報を前記視聴コンテンツの印象持続時間として決定する時間情報決定部と、
前記視聴コンテンツの視聴時からの経過時間及び前記印象持続時間及び前記複数のお薦めコンテンツに関する情報に基づいて、前記複数のお薦めコンテンツの優先度を決定する優先度決定部と、
を備えるコンテンツ提供装置。
【国際調査報告】
2013118198.tif 000023
2013118198.tif 000024